(57)【特許請求の範囲】
【請求項１】
定義情報にアクセスするための属性情報が付加されたmedia presentation description(MPD)に基づいて、前記定義情報を取得して記憶する記憶部と、
前記MPDに記載されているコンテンツファイルのアクセス情報に対して、前記定義情報に基づいてパラメータが付加されたURLを生成し、前記生成されたURLに基づいて、前記コンテンツファイルの送信のリクエストを送信する送信部と、
を備える、情報処理装置。
【請求項２】
前記MPDは、HTTPを介して、コンテンツサーバから受信される、請求項１に記載の情報処理装置。
【請求項３】
前記コンテンツファイルは、HTTPを介してコンテンツサーバから受信される、請求項１に記載の情報処理装置。
【請求項４】
前記コンテンツファイルを再生する再生部を備える、請求項１に記載の情報処理装置。
【請求項５】
定義情報にアクセスするための属性情報が付加されたmedia presentation description(MPD)に基づいて取得した、前記定義情報を記憶することと、
前記MPDに記載されているコンテンツファイルのアクセス情報に対して、前記定義情報に基づいてパラメータが付加されたURLを生成し、前記生成されたURLに基づいて、前記コンテンツファイルの送信のリクエストを送信することと、
を備える、コンテンツ要求方法。
【請求項６】
コンピュータに、
定義情報にアクセスするための属性情報が付加されたmedia presentation description(MPD)に基づいて取得した、前記定義情報を記憶することと、
前記MPDに記載されているコンテンツファイルのアクセス情報に対して、前記定義情報に基づいてパラメータが付加されたURLを生成し、前記生成されたURLに基づいて、前記コンテンツファイルの送信のリクエストを送信することと、
を実行させる、コンピュータプログラム。
【発明の詳細な説明】
【技術分野】
【０００１】
本開示は、情報処理装置、コンテンツ要求方法およびコンピュータプログラムに関する。
【背景技術】
【０００２】
近日、コンテンツ伝送のためのＨＴＴＰ（ＨｙｐｅｒＴｅｘｔ  Ｔｒａｎｓｆｅｒ  Ｐｒｏｔｏｃｏｌ）、およびコンテンツ圧縮符号化に関するＭＰ４が広く利用されている。ＨＴＴＰによれば、インターネットにおいて、コンテンツのダウンロードだけでなく、ストリーミングを行うことが可能である。このＨＴＴＰストリーミングは、「ＤＬＮＡ  ｇｕｉｄｅｌｉｎｅｓ」（２００６）や「Ｏｐｅｎ  ＩＰＴＶ  Ｆｏｒｕｍ」（２００９）などのネットワークメディア規格にも採用されている。また、ＭＰ４（ＩＳＯ／ＩＥＣ−１４４９６−１２，１４）は、記憶フォーマットとしてだけでなく、ダウンロードやストリーミングなどの伝送フォーマットとしても利用可能である。【０００３】
また、ストリーミングに関しては、下記非特許文献１に記載されているように、ＡＢＳ（Ａｄａｐｔｉｖｅ  ＢｉｔＳｔｒｅａｍｉｎｇ）技術が知られている。ＡＢＳ技術は、同一コンテンツが異なるビットレートで表現された複数の符号化データをコンテンツサーバに格納し、クライアントが、ネットワーク帯域に応じて複数の符号化データのいずれかの符号化データを選択しながら再生する技術である。【０００４】
通常のストリーミングの場合には、ネットワークの帯域がビットレートを下回ったときには、データの供給が消費に追いつかなくなり、クライアント側でバッファリングしているデータは枯渇する。結果、クライアントは再生を継続することができなくなる。それに対し、ＡＢＳ技術では、帯域が小さくなった時には低いビットレートの符号化データに再生データを切り替えるので、再生時における途切れを抑制することが可能になる。【０００５】
このＡＢＳ技術の分野においては、下記非特許文献２のようにクライアント側からネットワークカメラのリモート制御を行なう技術が提案されている。また、このＡＢＳ技術の分野においては、下記非特許文献３のようにサーバ側でパラメータを付加して、クライアントにそのパラメータを記憶させつつ、配信先のサーバを適宜変更するようなリダイレクションを実行する技術も提案されている。
【先行技術文献】
【非特許文献】
【０００６】
【非特許文献１】MPEG-DASH(Dynamic Adaptive Streaming over HTTP)（URL:http://mpeg.chiariglione.org/standards/mpeg-dash/media-presentation-description-and-segment-formats/text-isoiec-23009-12012-dam-1）
【非特許文献２】m28017 DASH: Device/Server Specific Representation in MPD(CE-URLPARAM), MPEG#103, Geneva, 2013
【非特許文献３】m28354 Core Experiment on Parameters insertion in media segment URL,MPEG#103, Geneva, 2013
【発明の概要】
【発明が解決しようとする課題】
【０００７】
ネットワークカメラのリモート制御のように、クライアントからリモートで機器を制御する用途にＡＢＳ技術を利用する場合に、メタ情報の内部に記述される情報は、制御を細かくしようとすればする程、肥大化してしまう。メタ情報の内部に記述される情報が肥大化してしまうとメンテナンスの容易性も悪化してしまうことになる。【０００８】
そこで本開示は、ＡＢＳ技術を用いてクライアントからリモートで機器を制御する際にメタ情報の肥大化を避けてメンテナンスをすることが可能な、新規かつ改良された情報処理装置、コンテンツ要求方法およびコンピュータプログラムを提供する。
【課題を解決するための手段】
【０００９】
本開示によれば、同一のコンテンツを異なるビットレートで符号化して得られる各符号化データを構成する複数のサブセグメントの各々にアクセスするための、またはＭＰＤに記載されている、サーバへのリクエストにより取得するあらゆる要素にアクセスするためのアクセス情報にパラメータを付加するための所定の定義を記憶する記憶部と、前記アクセス情報で定義されているアドレスに前記記憶部が記憶する所定の定義に基づきパラメータを指定してアクセスする通信部と、を備え、前記アクセス情報で定義されているアドレスは、前記コンテンツを撮像する装置を制御するためのアドレスである、情報処理装置が提供される。【００１０】
また本開示によれば、同一のコンテンツを異なるビットレートで符号化して得られる各符号化データを構成する複数のサブセグメントの各々にアクセスするための、またはＭＰＤに記載されている、サーバへのリクエストにより取得するあらゆる要素にアクセスするためのアクセス情報にパラメータを付加するための所定の定義を記憶することと、前記アクセス情報で定義されているアドレスに前記記憶部が記憶する所定の定義に基づきパラメータを指定してアクセスすることと、を備え、前記アクセス情報で定義されているアドレスは、前記コンテンツを撮像する装置を制御するためのアドレスである、コンテンツ要求方法が提供される。【００１１】
また本開示によれば、コンピュータに、同一のコンテンツを異なるビットレートで符号化して得られる各符号化データを構成する複数のサブセグメントの各々にアクセスするための、またはＭＰＤに記載されている、サーバへのリクエストにより取得するあらゆる要素にアクセスするためのアクセス情報にパラメータを付加するための所定の定義を記憶することと、前記アクセス情報で定義されているアドレスに前記記憶部が記憶する所定の定義に基づきパラメータを指定してアクセスすることと、を実行させ、前記アクセス情報で定義されているアドレスは、前記コンテンツを撮像する装置を制御するためのアドレスである、コンピュータプログラムが提供される。
【発明の効果】
【００１２】
以上説明したように本開示によれば、ＡＢＳ技術を用いてクライアントからリモートで機器を制御する際にメタ情報の肥大化を避けてメンテナンスをすることが可能な、新規かつ改良された情報処理装置、コンテンツ要求方法およびコンピュータプログラムを提供することが出来る。
【図面の簡単な説明】
【００１３】
【図１】本開示の実施形態によるコンテンツ再生システムの構成を示した説明図である。
【図２】本実施形態によるコンテンツ再生システムにおけるデータの流れを示した説明図である。
【図３】ＭＰＤの具体例を示した説明図である。
【図４】本実施形態によるコンテンツサーバ１０の構成を示した機能ブロック図である。
【図５】本実施形態によるコンテンツ再生装置２０の構成を示した機能ブロック図である。
【図６】本実施形態によるコンテンツサーバ１３の構成を示した機能ブロック図である。
【図７】Parameter Descriptionの内容を示す説明図である。
【図８】Parameter Descriptionの内容を示す説明図である。
【図９】Parameter Descriptionを参照するＭＰＤの例を示す説明図である。
【図１０Ａ】本開示の実施形態によるコンテンツ再生システムの動作例を示したシーケンス図である。
【図１０Ｂ】本開示の実施形態によるコンテンツ再生システムの動作例を示したシーケンス図である。
【図１１】コンピュータのハードウエアの構成例を示すブロック図である。
【図１２】多視点画像符号化方式の例を示す図である。
【図１３】本開示を適用した多視点画像符号化装置の構成例を示す図である。
【図１４】本開示を適用した多視点画像復号装置の構成例を示す図である。
【図１５】階層画像符号化方式の例を示す図である。
【図１６】スペーシャルなスケーラブル符号化の例を説明する図である。
【図１７】テンポラルなスケーラブル符号化の例を説明する図である。
【図１８】信号雑音比のスケーラブル符号化の例を説明する図である。
【図１９】本開示を適用した階層画像符号化装置の構成例を示す図である。
【図２０】本開示を適用した階層画像復号装置の構成例を示す図である。
【図２１】本開示を適用したテレビジョン装置の概略構成例を示す図である。
【図２２】本開示を適用した携帯電話機の概略構成例を示す図である。
【図２３】本開示を適用した記録再生装置の概略構成例を示す図である。
【図２４】本開示を適用した撮像装置の概略構成例を示す図である。
【図２５】スケーラブル符号化利用の一例を示すブロック図である。
【図２６】スケーラブル符号化利用の他の例を示すブロック図である。
【図２７】スケーラブル符号化利用のさらに他の例を示すブロック図である。
【図２８】本開示を適用したビデオセットの概略的な構成の一例を示している。
【図２９】本開示を適用したビデオプロセッサの概略的な構成の一例を示している。
【発明を実施するための形態】
【００１４】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１５】
また、本明細書及び図面において、実質的に同一の機能構成を有する複数の構成要素を、同一の符号の後に異なるアルファベットを付して区別する場合もある。例えば、実質的に同一の機能構成または論理的意義を有する複数の構成を、必要に応じてコンテンツ再生装置２０Ａ、２０Ｂおよび２０Ｃのように区別する。ただし、実質的に同一の機能構成を有する複数の構成要素の各々を特に区別する必要がない場合、同一符号のみを付する。例えば、コンテンツ再生装置２０Ａ、２０Ｂおよび２０Ｃを特に区別する必要が無い場合には、単にコンテンツ再生装置２０と称する。
【００１６】
なお、説明は以下の順序で行うものとする。
＜１．コンテンツ再生システムの概要＞
＜２．コンテンツサーバ１０の構成＞
＜３．コンテンツ再生装置２０の構成＞
＜４．コンテンツサーバ１３の構成＞
＜５．ＭＰＤの構成＞
＜６．まとめ＞
【００１７】
＜１．コンテンツ再生システムの概要＞
まず、図１〜図３を参照し、本開示の実施形態によるコンテンツ再生システムについて概略的に説明する。
【００１８】
以下では、まず、このような各実施形態において共通する基本構成について図１および図２を参照して説明する。
【００１９】
図１は、本開示の実施形態によるコンテンツ再生システムの構成を示した説明図である。図１に示したように、本開示の実施形態によるコンテンツ再生システムは、コンテンツサーバ１０、１３と、ネットワークカメラ１１と、ネットワーク１２と、コンテンツ再生装置２０（クライアント装置）と、を備える。
【００２０】
コンテンツサーバ１０とコンテンツ再生装置２０は、ネットワーク１２を介して接続されている。このネットワーク１２は、ネットワーク１２に接続されている装置から送信される情報の有線、または無線の伝送路である。
【００２１】
例えば、ネットワーク１２は、インターネット、電話回線網、衛星通信網などの公衆回線網や、Ｅｔｈｅｒｎｅｔ（登録商標）を含む各種のＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などを含んでもよい。また、ネットワーク１２は、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）などの専用回線網を含んでもよい。
【００２２】
コンテンツサーバ１０は、コンテンツデータを符号化し、符号化データおよび符号化データのメタ情報を含むデータファイルを生成して記憶する。なお、コンテンツサーバ１０がＭＰ４形式のデータファイルを生成する場合、符号化データは「ｍｄａｔ」に該当し、メタ情報は「ｍｏｏｖ」に該当する。
【００２３】
また、コンテンツデータは、音楽、講演およびラジオ番組などの音楽データや、映画、テレビジョン番組、ビデオプログラム、写真、文書、絵画および図表などの映像データや、ゲームおよびソフトウェアなどであってもよい。またコンテンツデータは、ネットワークカメラ１１で撮像されている映像であってもよい。コンテンツサーバ１０は、コンテンツ再生装置２０からのリクエストに応じてネットワークカメラ１１を制御し得る。
【００２４】
ここで、本実施形態によるコンテンツサーバ１０は、同一コンテンツに関し、異なるビットレートで複数のデータファイルを生成する。また本実施形態によるコンテンツサーバ１３は、コンテンツ再生装置２０からのコンテンツの再生要求に対して、コンテンツサーバ１０のＵＲＬの情報に、コンテンツ再生装置２０で当該ＵＲＬに付加させるパラメータの情報を含めてコンテンツ再生装置２０に送信する。以下、図２を参照して当該事項について具体的に説明する。
【００２５】
図２は、本実施形態によるコンテンツ再生システムにおけるデータの流れを示した説明図である。コンテンツサーバ１０は、同一のコンテンツデータを異なるビットレートで符号化し、図２に示したように例えば２ＭｂｐｓのファイルＡ、１．５ＭｂｐｓのファイルＢ、１ＭｂｐｓのファイルＣを生成する。相対的に、ファイルＡはハイビットレートであり、ファイルＢは標準ビットレートであり、ファイルＣはロービットレートである。
【００２６】
また、図２に示したように、各ファイルの符号化データは複数のセグメントに区分されている。例えば、ファイルＡの符号化データは「Ａ１」、「Ａ２」、「Ａ３」、・・・「Ａｎ」というセグメントに区分されており、ファイルＢの符号化データは「Ｂ１」、「Ｂ２」、「Ｂ３」、・・・「Ｂｎ」というセグメントに区分されており、ファイルＣの符号化データは「Ｃ１」、「Ｃ２」、「Ｃ３」、・・・「Ｃｎ」というセグメントに区分されている。
【００２７】
なお、各セグメントはＭＰ４のシンクサンプル（たとえば、ＡＶＣ/Ｈ．２６４の映像符号化ではＩＤＲ−ピクチャ）で始まる単独で再生可能な１または２以上の映像符号化データおよび音声符号化データより構成サンプルで構成されてもよい。例えば、一秒３０フレームのビデオデータが１５フレーム固定長のＧＯＰ（Ｇｒｏｕｐ  ｏｆ  Ｐｉｃｔｕｒｅ）にて符号化されていた場合、各セグメントは、４ＧＯＰに相当する２秒分の映像ならびに音声符号化データであっても、２０ＧＯＰに相当する１０秒分の映像ならびに音声符号化データであってもよい。
【００２８】
また、各ファイルにおける配置順番が同一のセグメントによる再生範囲（コンテンツの先頭からの時間位置の範囲）は同一である。例えば、セグメント「Ａ２」、セグメント「Ｂ２」、およびセグメント「Ｃ２」の再生範囲は同一であり、各セグメントが２秒分の符号化データである場合、セグメント「Ａ２」、セグメント「Ｂ２」、およびセグメント「Ｃ２」の再生範囲は、いずれもコンテンツの２秒〜４秒である。
【００２９】
コンテンツサーバ１０は、このような複数のセグメントから構成されるファイルＡ〜ファイルＣを生成すると、ファイルＡ〜ファイルＣを記憶する。そして、コンテンツサーバ１０は、図２に示したように、異なるファイルを構成するセグメントをコンテンツ再生装置２０に順次に送信し、コンテンツ再生装置２０は、受信したセグメントをストリーミング再生する。
【００３０】
ここで、本実施形態によるコンテンツサーバ１０は、各符号化データのビットレート情報およびアクセス情報を含むプレイリストファイル（以下、ＭＰＤ：Ｍｅｄｉａ  Ｐｒｅｓｅｎｔａｔｉｏｎ  Ｄｅｓｃｒｉｐｔｉｏｎ）をコンテンツ再生装置２０に送信し、コンテンツ再生装置２０は、ＭＰＤに基づき、複数のビットレートのうちのいずれかのビットレートを選択し、選択したビットレートに対応するセグメントの送信をコンテンツサーバ１０に要求する。
【００３１】
図１では、１つのコンテンツサーバ１０のみが図示されているが、本開示は係る例に限定されないことは言うまでもない。
【００３２】
図３は、ＭＰＤの具体例を示した説明図である。図３に示したように、ＭＰＤには、異なるビットレート（ＢＡＮＤＷＩＤＴＨ）を有する複数の符号化データに関するアクセス情報が含まれる。例えば、図３に示したＭＰＤは、２５６Ｋｂｐｓ、１．０２４Ｍｂｐｓ、１．３８４Ｍｂｐｓ、１．５３６Ｍｂｐｓ、２．０４８Ｍｂｐｓの各々の符号化データが存在することを示す共に、各符号化データに関するアクセス情報を含む。コンテンツ再生装置２０は、かかるＭＰＤに基づき、ストリーミング再生する符号化データのビットレートを動的に変更することが可能である。
【００３３】
なお、図１にはコンテンツ再生装置２０の一例として携帯端末を示しているが、コンテンツ再生装置２０はかかる例に限定されない。例えば、コンテンツ再生装置２０は、ＰＣ（Ｐｅｒｓｏｎａｌ  Ｃｏｍｐｕｔｅｒ）、家庭用映像処理装置（ＤＶＤレコーダ、ビデオデッキなど）、ＰＤＡ（Ｐｅｒｓｏｎａｌ  Ｄｉｇｉｔａｌ  Ａｓｓｉｓｔａｎｔｓ）、家庭用ゲーム機器、家電機器などの情報処理装置であってもよい。また、コンテンツ再生装置２０は、携帯電話、ＰＨＳ（Ｐｅｒｓｏｎａｌ  Ｈａｎｄｙｐｈｏｎｅ  Ｓｙｓｔｅｍ）、携帯用音楽再生装置、携帯用映像処理装置、携帯用ゲーム機器などの情報処理装置であってもよい。
【００３４】
＜２．コンテンツサーバ１０の構成＞
以上、図１〜図３を参照し、本開示の実施形態によるコンテンツ再生システムの概要を説明した。続いて、図４を参照し、本実施形態によるコンテンツサーバ１０の構成を説明する。
【００３５】
図４は、本実施形態によるコンテンツサーバ１０の構成を示した機能ブロック図である。図４に示したように、本実施形態によるコンテンツサーバ１０は、ファイル生成部１２０と、記憶部１３０と、通信部１４０と、を備える。
【００３６】
ファイル生成部１２０は、コンテンツデータを符号化するエンコーダ１２２を備え、同一のコンテンツでビットレートが異なる複数の符号化データ、および上述したＭＰＤを生成する。例えば、ファイル生成部１２０は、２５６Ｋｂｐｓ、１．０２４Ｍｂｐｓ、１．３８４Ｍｂｐｓ、１．５３６Ｍｂｐｓ、２．０４８Ｍｂｐｓの各々の符号化データを生成した場合、図３に示したようなＭＰＤを生成する。
【００３７】
記憶部１３０は、ファイル生成部１２０により生成されたビットレートが異なる複数の符号化データおよびＭＰＤを記憶する。この記憶部１３０は、不揮発性メモリ、磁気ディスク、光ディスク、およびＭＯ（Ｍａｇｎｅｔｏ  Ｏｐｔｉｃａｌ）ディスクなどの記憶媒体であってもよい。不揮発性メモリとしては、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）があげられる。また、磁気ディスクとしては、ハードディスクおよび円盤型磁性体ディスクなどがあげられる。また、光ディスクとしては、ＣＤ（Ｃｏｍｐａｃｔ  Ｄｉｓｃ、ＤＶＤ−Ｒ（Ｄｉｇｉｔａｌ  Ｖｅｒｓａｔｉｌｅ  Ｄｉｓｃ  Ｒｅｃｏｒｄａｂｌｅ）およびＢＤ（Ｂｌｕ−Ｒａｙ  Ｄｉｓｃ（登録商標））などがあげられる。
【００３８】
通信部１４０は、コンテンツ再生装置２０とのインターフェースであって、ネットワーク１２を介してコンテンツ再生装置２０と通信する。より詳細には、通信部１４０は、ＨＴＴＰに従ってコンテンツ再生装置２０と通信するＨＴＴＰサーバとしての機能を有する。例えば、通信部１４０は、ＭＰＤをコンテンツ再生装置２０に送信し、ＨＴＴＰに従ってコンテンツ再生装置２０からＭＰＤに基づいて要求された符号化データを記憶部１３０から抽出し、ＨＴＴＰレスポンスとしてコンテンツ再生装置２０に符号化データを送信する。
【００３９】
＜３．コンテンツ再生装置２０の構成＞
以上、本実施形態によるコンテンツサーバ１０の構成を説明した。続いて、図５を参照し、本実施形態によるコンテンツ再生装置２０の構成を説明する。
【００４０】
図５は、本実施形態によるコンテンツ再生装置２０の構成を示した機能ブロック図である。図５に示したように、本実施形態によるコンテンツ再生装置２０は、通信部２２０と、記憶部２３０と、再生部２４０と、選択部２５０と、を備える。
【００４１】
通信部２２０は、コンテンツサーバ１０とのインターフェースであって、コンテンツサーバ１０に対してデータを要求し、コンテンツサーバ１０からデータを取得する。より詳細には、通信部２２０は、ＨＴＴＰに従ってコンテンツ再生装置２０と通信するＨＴＴＰクライアントとしての機能を有する。例えば、通信部２２０は、ＨＴＴＰ  Ｒａｎｇｅを利用することにより、コンテンツサーバ１０からＭＰＤや符号化データのセグメントを選択的に取得することができる。
【００４２】
記憶部２３０は、コンテンツの再生に関する種々の情報を記憶する。例えば、通信部２２０によりコンテンツサーバ１０から取得されるセグメントを順次にバッファリングする。記憶部２３０にバッファリングされた符号化データのセグメントは、ＦＩＦＯ（Ｆｉｒｓｔ  Ｉｎ  Ｆｉｒｓｔ  Ｏｕｔ）で再生部２４０へ順次に供給される。
【００４３】
また記憶部２３０は、ネットワークカメラ１１に対して方向や倍率を指示していして、ネットワークカメラ１１で撮像された映像をコンテンツサーバ１０から取得するための定義情報を保持する。記憶部２３０が保持する定義情報については後に詳述する。
【００４４】
再生部２４０は、記憶部２３０から供給されるセグメントを順次に再生する。具体的には、再生部２４０は、セグメントのデコード、ＤＡ変換、およびレンダリングなどを行う。
【００４５】
選択部２５０は、ＭＰＤに含まれるいずれのビットレートに対応する符号化データのセグメントを取得するかを同一コンテンツ内で順次に選択する。例えば、選択部２５０がネットワーク１２の帯域に応じてセグメント「Ａ１」、「Ｂ２」、「Ａ３」を順次に選択すると、図２に示したように、通信部２２０がコンテンツサーバ１０からセグメント「Ａ１」、「Ｂ２」、「Ａ３」を順次に取得する。
【００４６】
本実施形態によるコンテンツ再生装置２０は、ネットワークカメラ１１を制御して、指定した方向から、また指定した倍率で、ネットワークカメラ１１が撮像した映像をコンテンツサーバ１０から取得する。そしてコンテンツ再生装置２０は、ネットワークカメラ１１の制御に、非特許文献１で開示されているＡＢＳ技術を用いる。
【００４７】
＜４．コンテンツサーバ１３の構成＞
図６は、コンテンツサーバ１３の構成例を示す説明図である。図６に示したように、本実施形態によるコンテンツサーバ１３は、記憶部３１０と、通信部３２０と、を備える。
【００４８】
記憶部３１０は、ＭＰＤのＵＲＬの情報を記憶する。ＭＰＤのＵＲＬの情報は、コンテンツの再生を要求するコンテンツ再生装置２０からの求めに応じ、コンテンツサーバ１３からコンテンツ再生装置２０へ送信される。また記憶部３１０は、コンテンツ再生装置２０へのＭＰＤのＵＲＬの情報を提供する際に、当該ＭＰＤに記述されているＵＲＬにコンテンツ再生装置２０でパラメータを付加させる際の定義情報を記憶する。
【００４９】
通信部３２０は、コンテンツ再生装置２０とのインターフェースであって、ネットワーク１２を介してコンテンツ再生装置２０と通信する。すなわち通信部３２０は、コンテンツの再生を要求するコンテンツ再生装置２０から、ＭＰＤのＵＲＬの情報の要求を受信し、コンテンツ再生装置２０へＭＰＤのＵＲＬの情報を送信する。通信部３２０から送信されるＭＰＤのＵＲＬには、コンテンツ再生装置２０でパラメータを付加させるための情報が含まれる。
【００５０】
コンテンツ再生装置２０でＭＰＤのＵＲＬに付加させるパラメータについては、コンテンツサーバ１３およびコンテンツ再生装置２０で共有する定義情報で様々に設定することが出来る。一例を挙げれば、コンテンツ再生装置２０の現在位置、コンテンツ再生装置２０を使用するユーザのユーザＩＤ、コンテンツ再生装置２０のメモリサイズ、コンテンツ再生装置２０のストレージの容量などの情報を、コンテンツ再生装置２０でＭＰＤのＵＲＬに付加させることが出来る。
【００５１】
＜４．ＭＰＤの構成＞
続いて、本実施形態によるＭＰＤの構成について説明する。上記非特許文献２では、ネットワークカメラをクライアントから制御するために、上記非特許文献１のsection 5.3.9.4.2で内容が公開されているSegmentTemplate要素に、パン角度の属性「pan_range」、チルト角度の属性「tilt_range」、ズーム倍率の属性「zoom_range」を指定する方法が提案されている。
【００５２】
しかし、このようにパラメータをＭＰＤで指定すると、ネットワークカメラの制御を細かくしようとすればする程、ＭＰＤの内容が肥大化してしまう。ＭＰＤの内部に記述される情報が肥大化してしまうと、ＭＰＤメンテナンスの容易性も悪化してしまうことになる。
【００５３】
そこで本実施形態では、上記非特許文献１のsection 5.3.9.4.2で内容が公開されているSegmentTemplate要素に、属性「pan_range」、「tilt_range」、「zoom_range」を追加する替わりに、属性「pd」だけを追加する。属性「pd」は、ネットワークカメラ１１を制御するための定義情報のＵＲＩを１つまたは複数指定するための属性である。SegmentTemplate要素の属性「pd」で指定される定義情報をParameter Descriptionとも称する。Parameter Descriptionは、例えば、ＷＡＤＬ（Ｗｅｂ  Ａｐｐｌｉｃａｔｉｏｎ  Ｄｅｓｃｒｉｐｔｉｏｎ  Ｌａｎｇｕａｇｅ、http://www.w3.org/Submission/wadl/）、ＷＳＤＬ（Ｗｅｂ  Ｓｅｒｖｉｃｅ  Ｄｅｓｃｒｉｐｔｉｏｎ  Ｌａｎｇｕａｇｅ、http://www.ibm.com/developerworks/webservices/library/ws-restwsdl/）その他のＷｅｂＡＰＩ記述言語に基づいて記述され得る。この定義情報は記憶部３１０や記憶部２３０に記憶され得る。Parameter Descriptionが記憶部３１０と記憶部２３０の両方に記憶される場合は、双方の内容が同期されること、すなわち、双方の内容が同一に維持されることが前提である。
【００５４】
以下では、ネットワークカメラ１１が撮像する映像を取得するためのＵＲＬが「http://cdn1.example.com/camera1/」とＭＰＤに記述されており、そのＭＰＤの<AdaptationSet>タグのEssentialProperty要素に「schemeIdUri=’urn:PanAngleDef’」と指定され、SegmentTemplate要素の属性「pd」にParameter Descriptionとして「urn:PanAngleDef」と指定されている例を説明する。
【００５５】
図７は、上述のParameter Descriptionである「urn:PanAngleDef」の内容を示す説明図である。このParameter Descriptionは、ネットワークカメラ１１のパン角度を指定するための定義情報である。
【００５６】
<resource>タグは、ネットワークカメラ１１が撮像する映像の場所を指定するタグであり、要素「path」にその場所が記述される。図６の例では「pan-{degree}」と記述されている。この「degree」に値を設定してコンテンツサーバ１０に要求することで、コンテンツ再生装置２０は、ネットワークカメラ１１のパン角度を指定することができる。
【００５７】
<param>タグで囲まれた部分に、Parameter Descriptionの定義内容が記述される。
【００５８】
「name」要素は、コンテンツ再生装置２０からネットワークカメラ１１を制御するためのパラメータの名称を規定する。図７の例では「name」要素に、ネットワークカメラ１１のパン角度を指定するためのパラメータ「degree」が指定されている。
【００５９】
「required」要素は、コンテンツ再生装置２０での、そのクエリパラメータの記述が必須か否かを規定する。図７の例では、「required」要素に「true」が指定されており、このパラメータの記述が必須であることを示している。
【００６０】
「style」要素は、コンテンツ再生装置２０でＭＰＤのＵＲＬに付加させるパラメータの形式を規定する。パラメータの形式には、クエリパラメータやテンプレート等がある。図７に示した例では、「style」要素に「template」が指定されており、このパラメータはテンプレートの形式でコンテンツ再生装置２０に記述させることを示している。
【００６１】
<doc>タグで囲まれた部分には、このParameter Descriptionに関する情報が記述される。図７には、このParameter Descriptionは、パラメータ「degree」についての詳細であり、パン角度の最大値、最小値、増加量を指定することが示されている。
【００６２】
コンテンツ再生装置２０は、図７に示した内容に基づいてパラメータを付加する。例えばコンテンツ再生装置２０は、パン角度が４０度の方向から撮像した映像を要求する場合は、ＵＲＬを「http://cdn1.example.com/camera1/pan-40」と指定して通信部２２０から当該ＵＲＬにアクセスする。コンテンツサーバ１０は、コンテンツ再生装置２０からの要求に基づいてネットワークカメラ１１のパン角度を４０度に指定して、ネットワークカメラ１１が撮像した映像をコンテンツ再生装置２０へ送信することができる。
【００６３】
別の例を示す。以下では、ネットワークカメラ１１が撮像する映像を取得するためのＵＲＬが「http://cdn1.example.com/camera1/」とＭＰＤに記述されており、そのＭＰＤの<AdaptationSet>タグのEssentialProperty要素に「schemeIdUri=’urn:ZoomScaleDef’」と指定され、SegmentTemplate要素の属性「pd」にParameter Descriptionとして「urn:ZoomScaleDef」と指定されている例を説明する。
【００６４】
図８は、上述のParameter Descriptionである「urn:ZoomScaleDef」の内容を示す説明図である。このParameter Descriptionは、ネットワークカメラ１１のズーム倍率を指定するための定義情報である。
【００６５】
例えば、コンテンツ再生装置２０は、ズーム倍率が３倍の映像を要求する場合は、ＵＲＬを「http://cdn1.example.com/camera1/zoom-3」と指定して通信部２２０から当該ＵＲＬにアクセスする。コンテンツサーバ１０は、コンテンツ再生装置２０からの要求に基づいてネットワークカメラ１１のズーム倍率を３倍に指定して、ネットワークカメラ１１が撮像した映像をコンテンツ再生装置２０へ送信することができる。
【００６６】
図９は、上述してきたParameter Descriptionを参照するよう構成されているＭＰＤの例を示す説明図である。上記非特許文献３では、Parameter要素を導入して、そのParameter要素のid属性にテンプレートとして利用するパラメータの名前(図９の例では「angle」)を指定し、descriptorId属性から、EssentialProperty（対象のMPDでサポートされるべきdescriptorを指定する要素）を参照するよう提案している。しかし、上記非特許文献２ではその先の定義については提案されていない。
【００６７】
そこで、その先の定義を上述のParameter Descriptionを利用していたのが、図９に示したＭＰＤである。schemeIdUri要素で指定された「urn:PanAngleDef」は、図７に示したParameter Descriptionである。このようにＭＰＤが定義されていることで、コンテンツ再生装置２０は、http://cdn1.example.com/camera1/pan-40というアドレスにアクセスしてコンテンツを取得することが出来る。Parameter Descriptionに標準の記述方式を利用することにより、既にある標準のフレームワークを利用することができるので、ＵＲＬ署名等の機能追加が容易となる。
【００６８】
上述の一連の処理をより詳細に説明する。図１０Ａ及び図１０Ｂは、上述の一連の処理を詳細に示すシーケンス図である。図１０Ａ及び図１０Ｂに示したシーケンス図は、コンテンツサーバ１３からコンテンツ再生装置２０へＭＰＤのＵＲＬの情報を送り、コンテンツ再生装置２０がＭＰＤのＵＲＬに基づいてネットワークカメラ１１からコンテンツを取得し、ネットワークカメラ１１が撮像した映像を再生する際の動作を示したものである。
【００６９】
コンテンツ再生装置２０がコンテンツを再生部２４０で再生しようとする場合、まずコンテンツ再生装置２０は、ＭＰＤのＵＲＬをコンテンツサーバ１３から取得する（ステップＳ１０１）。ステップＳ１０１の取得は、例えば再生部２４０が通信部２２０を通じて実行する。コンテンツ再生装置２０は、ＭＰＤのＵＲＬをコンテンツサーバ１３から取得すると、続いてＵＲＬパラメータの参照を内包するＭＰＤかどうか判断する（ステップＳ１０２）。ステップＳ１０２の判断は再生部２４０が実行し得る。ＵＲＬパラメータの参照を内包するＭＰＤとは、例えば図９に示した「urn:PanAngleDef」のようなパラメータを含んだＭＰＤのことをいう。
【００７０】
ステップＳ１０２の判断の結果、ステップＳ１０１で取得したＭＰＤのＵＲＬが、ＵＲＬパラメータの参照を内包するＭＰＤで無い場合は、コンテンツ再生装置２０はｈｔｔｐによりＭＰＤのＵＲＬをコンテンツサーバ１３に要求する（ステップＳ１０３）。ステップＳ１０３の要求は、例えば再生部２４０が通信部２２０を通じて実行する。例えば「http://a.com/x.mpd」というＵＲＬをコンテンツ再生装置２０が取得した場合は、コンテンツ再生装置２０はhttp-requestにより「http://a.com/x.mpd」をコンテンツサーバ１３に要求する。
【００７１】
コンテンツ再生装置２０からＭＰＤのＵＲＬの要求を受信したコンテンツサーバ１３は、コンテンツ再生装置２０から取得したい状態情報、例えば上述の例ではネットワークカメラ１１のアングル情報を決定し、対応するParameter Descriptionを記憶部３１０に照会する（ステップＳ１０４）。記憶部３１０は、当該Parameter DescriptionのＵＲＩを応答する（ステップＳ１０５）。上述の例に当てはめれば、記憶部３１０からは、コンテンツサーバ１０からの照会に応じて、「urn:PanAngleDef」というＵＲＩが返される。
【００７２】
記憶部３１０からの応答を受信したコンテンツサーバ１０は、ＭＰＤ内に、Parameter DescriptionのＵＲＩ（urn:PanAngleDef）を格納する。またコンテンツサーバ１０は、SegmentTemplate要素の属性pdを追加してＭＰＤを更新し（例えばy.mpdとする)、その更新したＭＰＤを指し示すＭＰＤのＵＲＬ（http://a.com/y.mpd）を、http-response-redirectによりコンテンツ再生装置２０に応答する（ステップＳ１０６）。
【００７３】
コンテンツサーバ１３からの応答を受信したコンテンツ再生装置２０は、更新されたＭＰＤのＵＲＬをｈｔｔｐによりコンテンツサーバ１０に要求する（ステップＳ１０７）。上述の例に当てはめれば、コンテンツ再生装置２０はhttp-requestにより「http://a.com/y.mpd」というＭＰＤのＵＲＬをコンテンツサーバ１０に要求する。
【００７４】
コンテンツ再生装置２０からの要求を受信したコンテンツサーバ１０は、当該ＭＰＤの本体をコンテンツ再生装置２０へ応答する（ステップＳ１０８）。
【００７５】
ＭＰＤの本体がコンテンツサーバ１０から送られると（または上記ステップＳ１０２の判断の結果、ステップＳ１０１で取得したＵＲＬパラメータの参照を内包するＭＰＤであった場合は）、ＭＰＤの本体をコンテンツサーバ１０から送られたコンテンツ再生装置２０は、その送られたＭＰＤを解釈する（ステップＳ１０９）。ステップＳ１０９のＭＰＤの解釈は例えば再生部２４０が実行し得る。コンテンツ再生装置２０は、コンテンツサーバ１０から送られたＭＰＤを解釈して、再生する対象のAdaptationSet、またはRepresentation/SubRepresentationを決定する。
【００７６】
ＭＰＤの解釈により再生する対象のAdaptationSet、またはRepresentation/SubRepresentationを決定すると、コンテンツ再生装置２０は、再生する対象に対する検知処理を実行する（ステップＳ１１０）。ステップＳ１１０の検知処理は例えば再生部２４０が実行し得る。具体的には、コンテンツ再生装置２０は、当該AdaptationSet、またはRepresentation/SubRepresentationにEssentialPropertyがあり、EssentialPropertyにそのschemeIdUri属性の値が指定されており（例えばurn:PanAngleDef）、schemeIdUri属性で指定されるＵＲＩにて参照されるParameter Descriptionの解釈が再生処理の上で必須となることを検知する。またコンテンツ再生装置２０は、そのＵＲＩがＵＲＬパラメータの挿入を意味するＵＲＩとなっていることを検知する。
【００７７】
コンテンツ再生装置２０は、再生する対象に対する検知処理を実行すると、続いてＵＲＩを記憶する（ステップＳ１１１）。具体的には、コンテンツ再生装置２０はSegmentTemplate要素の属性pdにて指定されたＵＲＩ（urn:PanAngleDef）を記憶する。ＵＲＩの記憶処理は例えば再生部２４０が実行する。
【００７８】
コンテンツ再生装置２０は、ステップＳ１１１でＵＲＩを記憶すると、続いてＵＲＬパラメータで指定されたＵＲＩ（例えばurn:PanAngleDef）により、Parameter Descriptionを記憶部３１０に対し照会する（ステップＳ１１２）。ステップＳ１１２の照会処理は、例えば再生部２４０が通信部２２０を通じて実行する。記憶部３１０は、例えばＷＡＤＬにて記述された当該Parameter
Descriptionの本体を、コンテンツ再生装置２０に応答する（ステップＳ１１３）。
【００７９】
コンテンツ再生装置２０は、記憶部３１０からParameter Descriptionの本体を取得すると、パラメータの構成方法を決定し、パラメータに格納する内容を取得する（ステップＳ１１４）。ステップＳ１１４の処理は、例えば再生部２４０が実行し得る。例えばパラメータにネットワークカメラ１１のアングルのパラメータを格納する場合は、コンテンツ再生装置２０は、ユーザとの対話処理等によりネットワークカメラ１１のアングルの値をパラメータに格納する。
【００８０】
コンテンツ再生装置２０は、パラメータに格納する内容を取得すると、パラメータが付加されたセグメントのＵＲＬを生成し、ｈｔｔｐによりコンテンツサーバ１０へ要求する（ステップＳ１１５）。具体的には、コンテンツ再生装置２０は、当該SegmentTemplate要素のmedia属性に記載された規則に則って、ＵＲＬパラメータが付加されたセグメントのＵＲＬを生成する。例えば図９の「＄」で囲まれた「angle」というSubstitutionParameterの部分に上記パラメータを挿入するという規則があれば、コンテンツ再生装置２０は、その規則に則って、パラメータが付加されたセグメントのＵＲＬを生成する。コンテンツ再生装置２０は、ステップＳ１１５の処理により、「http://cdn1.example.com/camera1/pan-40」というセグメントのＵＲＬを生成する。
【００８１】
コンテンツ再生装置２０から要求を受けたコンテンツサーバ１０は、ＵＲＬパラメータを解釈して最適なセグメントの本体をコンテンツ再生装置２０へ応答する（ステップＳ１１６）。コンテンツ再生装置２０は、コンテンツサーバ１０から受信したセグメントを再生する（ステップＳ１１７）。
【００８２】
コンテンツ再生装置２０は、コンテンツサーバ１０との間で、上述した一連の処理を実行することで、ＭＰＤに記述されているＵＲＬにパラメータを付加し、http://cdn1.example.com/camera1/pan-40というアドレスにアクセスして、角度が４０度の方向を向いているネットワークカメラ１１が撮像する映像を取得し、取得した映像を再生することが出来る。
【００８３】
＜第１実施の形態＞
（本開示を適用したコンピュータの説明）
上述した一連の処理は、ハードウエアにより実行することもできるし、ソフトウエアにより実行することもできる。一連の処理をソフトウエアにより実行する場合には、そのフトウエアを構成するプログラムが、コンピュータにインストールされる。ここで、コンピュータには、専用のハードウエアに組み込まれているコンピュータや、各種のプログラムをインストールすることで、各種の機能を実行することが可能な、例えば汎用のパーソナルコンピュータなどが含まれる。
【００８４】
図１１は、上述した一連の処理をプログラムにより実行するコンピュータのハードウエアの構成例を示すブロック図である。
【００８５】
コンピュータにおいて、CPU（Central Processing Unit）２０１，ROM（Read Only Memory）２０２，RAM（Random Access Memory）２０３は、バス２０４により相互に接続されている。
【００８６】
バス２０４には、さらに、入出力インタフェース２０５が接続されている。入出力インタフェース２０５には、入力部２０６、出力部２０７、記憶部２０８、通信部２０９、及びドライブ２１０が接続されている。
【００８７】
入力部２０６は、キーボード、マウス、マイクロホンなどよりなる。出力部２０７は、ディスプレイ、スピーカなどよりなる。記憶部２０８は、ハードディスクや不揮発性のメモリなどよりなる。通信部２０９は、ネットワークインタフェースなどよりなる。ドライブ２１０は、磁気ディスク、光ディスク、光磁気ディスク、又は半導体メモリなどのリムーバブルメディア２１１を駆動する。
【００８８】
以上のように構成されるコンピュータでは、CPU２０１が、例えば、記憶部２０８に記憶されているプログラムを、入出力インタフェース２０５及びバス２０４を介して、RAM２０３にロードして実行することにより、上述した一連の処理が行われる。
【００８９】
コンピュータ（CPU２０１）が実行するプログラムは、例えば、パッケージメディア等としてのリムーバブルメディア２１１に記録して提供することができる。また、プログラムは、ローカルエリアネットワーク、インターネット、デジタル衛星放送といった、有線または無線の伝送媒体を介して提供することができる。
【００９０】
コンピュータでは、プログラムは、リムーバブルメディア２１１をドライブ２１０に装着することにより、入出力インタフェース２０５を介して、記憶部２０８にインストールすることができる。また、プログラムは、有線または無線の伝送媒体を介して、通信部２０９で受信し、記憶部２０８にインストールすることができる。その他、プログラムは、ROM２０２や記憶部２０８に、あらかじめインストールしておくことができる。
【００９１】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【００９２】
＜第２実施の形態＞
（多視点画像符号化・多視点画像復号への適用）
上述した一連の処理は、多視点画像符号化・多視点画像復号に適用することができる。図１２は、多視点画像符号化方式の一例を示す。
【００９３】
図１２に示されるように、多視点画像は、複数の視点（ビュー（view））の画像を含む。この多視点画像の複数のビューは、他のビューの画像を利用せずに自身のビューの画像のみを用いて符号化・復号を行うベースビューと、他のビューの画像を利用して符号化・復号を行うノンベースビューとによりなる。ノンベースビューは、ベースビューの画像利用するようにしても良いし、他のノンベースビューの画像を利用するようにしてもよい。
【００９４】
このようにすることにより、冗長な情報の伝送を抑制し、伝送する情報量（符号量）を低減することができる（つまり、符号化効率の低減を抑制することができる）。
【００９５】
（多視点画像符号化装置）
図１３は、上述した多視点画像符号化を行う多視点画像符号化装置を示す図である。図１３に示されるように、多視点画像符号化装置６００は、符号化部６０１、符号化部６０２、および多重化部６０３を有する。
【００９６】
符号化部６０１は、ベースビュー画像を符号化し、ベースビュー画像符号化ストリームを生成する。符号化部６０２は、ノンベースビュー画像を符号化し、ノンベースビュー画像符号化ストリームを生成する。多重化部６０３は、符号化部６０１において生成されたベースビュー画像符号化ストリームと、符号化部６０２において生成されたノンベースビュー画像符号化ストリームとを多重化し、多視点画像符号化ストリームを生成する。
【００９７】
この多視点画像符号化装置６００の符号化部６０１および符号化部６０２に対して、符号化装置１０（図１９）を適用することができる。つまり、各ビューに対する符号化において、エンハンスメントレイヤと解像度情報のデフォルトのマッピングを改善できる。また、符号化部６０１および符号化部６０２は、互いに同一のフラグやパラメータ（例えば、画像間の処理に関するシンタクス要素等）を用いて、符号化を行うことができる（すなわち、フラグやパラメータを共有することができる）ので、符号化効率の低減を抑制することができる。
【００９８】
（多視点画像復号装置）
図１４は、上述した多視点画像復号を行う多視点画像復号装置を示す図である。図１４に示されるように、多視点画像復号装置６１０は、逆多重化部６１１、復号部６１２、および復号部６１３を有する。
【００９９】
逆多重化部６１１は、ベースビュー画像符号化ストリームとノンベースビュー画像符号化ストリームとが多重化された多視点画像符号化ストリームを逆多重化し、ベースビュー画像符号化ストリームと、ノンベースビュー画像符号化ストリームとを抽出する。復号部６１２は、逆多重化部６１１により抽出されたベースビュー画像符号化ストリームを復号し、ベースビュー画像を得る。復号部６１３は、逆多重化部６１１により抽出されたノンベースビュー画像符号化ストリームを復号し、ノンベースビュー画像を得る。
【０１００】
この多視点画像復号装置６１０の復号部６１２および復号部６１３に対して、復号装置１１０（図２５）を適用することができる。つまり、エンハンスメントレイヤと解像度情報のデフォルトのマッピングを改善できる。また、復号部６１２および復号部６１３は、互いに同一のフラグやパラメータ（例えば、画像間の処理に関するシンタクス要素等）を用いて、復号を行うことができる（すなわち、フラグやパラメータを共有することができる）ので、符号化効率の低減を抑制することができる。
【０１０１】
＜第３実施の形態＞
（階層画像符号化・階層画像復号への適用）
上述した一連の処理は、階層画像符号化・階層画像復号（スケーラブル符号化・スケーラブル復号）に適用することができる。図１５は、階層画像符号化方式の一例を示す。
【０１０２】
階層画像符号化（スケーラブル符号化）は、画像データを、所定のパラメータについてスケーラブル（scalable）機能を有するように、画像を複数レイヤ化（階層化）し、レイヤ毎に符号化するものである。階層画像復号（スケーラブル復号）は、その階層画像符号化に対応する復号である。
【０１０３】
図１５に示されるように、画像の階層化においては、スケーラブル機能を有する所定のパラメータを基準として１の画像が複数の画像（レイヤ）に分割される。つまり、階層化された画像（階層画像）は、その所定のパラメータの値が互いに異なる複数の階層（レイヤ）の画像を含む。この階層画像の複数のレイヤは、他のレイヤの画像を利用せずに自身のレイヤの画像のみを用いて符号化・復号を行うベースレイヤと、他のレイヤの画像を利用して符号化・復号を行うノンベースレイヤ（エンハンスメントレイヤとも称する）とによりなる。ノンベースレイヤは、ベースレイヤの画像を利用するようにしても良いし、他のノンベースレイヤの画像を利用するようにしてもよい。
【０１０４】
一般的に、ノンベースレイヤは、冗長性が低減されるように、自身の画像と、他のレイヤの画像との差分画像のデータ（差分データ）により構成される。例えば、１の画像をベースレイヤとノンベースレイヤ（エンハンスメントレイヤとも称する）に２階層化した場合、ベースレイヤのデータのみで元の画像よりも低品質な画像が得られ、ベースレイヤのデータとノンベースレイヤのデータを合成することで、元の画像（すなわち高品質な画像）が得られる。
【０１０５】
このように画像を階層化することにより、状況に応じて多様な品質の画像を容易に得ることができる。例えば携帯電話のような、処理能力の低い端末に対しては、ベースレイヤ（base layer）のみの画像圧縮情報を伝送し、空間時間解像度の低い、或いは、画質の良くない動画像を再生し、テレビやパーソナルコンピュータのような、処理能力の高い端末に対しては、ベースレイヤ（base layer）に加えて、エンハンスメントレイヤ（enhancement layer）の画像圧縮情報を伝送し、空間時間解像度の高い、或いは、画質の高い動画像を再生するといったように、トランスコード処理を行うことなく、端末やネットワークの能力に応じた画像圧縮情報を、サーバから送信することが可能となる。
【０１０６】
このようにすることにより、冗長な情報の伝送を抑制し、伝送する情報量（符号量）を低減することができる（つまり、符号化効率の低減を抑制することができる）。
【０１０７】
（スケーラブルなパラメータ）
このような階層画像符号化・階層画像復号（スケーラブル符号化・スケーラブル復号）において、スケーラブル（scalable）機能を有するパラメータは、任意である。例えば、図１６に示されるような空間解像度をそのパラメータとしてもよい（spatial scalability）。このスペーシャルスケーラビリティ（spatial scalability）の場合、レイヤ毎に画像の解像度が異なる。つまり、この場合、図１６に示されるように、各ピクチャが、元の画像より空間的に低解像度のベースレイヤと、ベースレイヤと合成することにより元の空間解像度が得られるエンハンスメントレイヤの２階層に階層化される。もちろん、この階層数は一例であり、任意の階層数に階層化することができる。
【０１０８】
また、このようなスケーラブル性を持たせるパラメータとして、他には、例えば、図１７に示されるような、時間解像度を適用しても良い（temporal scalability）。このテンポラルスケーラビリティ（temporal scalability）の場合、レイヤ毎にフレームレートが異なる。つまり、この場合、図１７に示されるように、各ピクチャが、元の動画像より低フレームレートのベースレイヤと、ベースレイヤと合成することにより元のフレームレートが得られるエンハンスメントレイヤの２階層に階層化される。もちろん、この階層数は一例であり、任意の階層数に階層化することができる。
【０１０９】
さらに、このようなスケーラブル性を持たせるパラメータとして、例えば、信号雑音比（SNR（Signal to Noise ratio））を適用しても良い（SNR scalability）。このSNRスケーラビリティ（SNR scalability）の場合、レイヤ毎にSN比が異なる。つまり、この場合、図１８に示されるように、各ピクチャが、元の画像よりSNRの低いベースレイヤと、ベースレイヤと合成することにより元のSNRが得られるエンハンスメントレイヤの２階層に階層化される。もちろん、この階層数は一例であり、任意の階層数に階層化することができる。
【０１１０】
スケーラブル性を持たせるパラメータは、上述した例以外であっても、もちろんよい。例えば、スケーラブル性を持たせるパラメータとして、ビット深度を用いることもできる（bit-depth scalability）。このビット深度スケーラビリティ（bit-depth scalability）の場合、レイヤ毎にビット深度が異なる。この場合、例えば、ベースレイヤ（base layer）が８ビット（bit）画像よりなり、これにエンハンスメントレイヤ（enhancement layer）を加えることにより、10ビット（bit）画像が得られるようにすることができる。
【０１１１】
また、スケーラブル性を持たせるパラメータとして、クロマフォーマットを用いることもできる（chroma scalability）。このクロマスケーラビリティ（chroma scalability）の場合、レイヤ毎にクロマフォーマットが異なる。この場合、例えば、ベースレイヤ（base layer）が4:2:0フォーマットのコンポーネント画像よりなり、これにエンハンスメントレイヤ（enhancement layer）を加えることにより、4:2:2フォーマットのコンポーネント画像が得られるようにすることができる。
【０１１２】
（階層画像符号化装置）
図１９は、上述した階層画像符号化を行う階層画像符号化装置を示す図である。図１９に示されるように、階層画像符号化装置６２０は、符号化部６２１、符号化部６２２、および多重化部６２３を有する。
【０１１３】
符号化部６２１は、ベースレイヤ画像を符号化し、ベースレイヤ画像符号化ストリームを生成する。符号化部６２２は、ノンベースレイヤ画像を符号化し、ノンベースレイヤ画像符号化ストリームを生成する。多重化部６２３は、符号化部６２１において生成されたベースレイヤ画像符号化ストリームと、符号化部６２２において生成されたノンベースレイヤ画像符号化ストリームとを多重化し、階層画像符号化ストリームを生成する。
【０１１４】
この階層画像符号化装置６２０の符号化部６２１および符号化部６２２に対して、符号化装置１０（図１９）を適用することができる。つまり、エンハンスメントレイヤと解像度情報のデフォルトのマッピングを改善できる。また、符号化部６２１および符号化部６２２は、互いに同一のフラグやパラメータ（例えば、画像間の処理に関するシンタクス要素等）を用いて、イントラ予測のフィルタ処理の制御等を行うことができる（すなわち、フラグやパラメータを共有することができる）ので、符号化効率の低減を抑制することができる。
【０１１５】
（階層画像復号装置）
図２０は、上述した階層画像復号を行う階層画像復号装置を示す図である。図２０に示されるように、階層画像復号装置６３０は、逆多重化部６３１、復号部６３２、および復号部６３３を有する。
【０１１６】
逆多重化部６３１は、ベースレイヤ画像符号化ストリームとノンベースレイヤ画像符号化ストリームとが多重化された階層画像符号化ストリームを逆多重化し、ベースレイヤ画像符号化ストリームと、ノンベースレイヤ画像符号化ストリームとを抽出する。復号部６３２は、逆多重化部６３１により抽出されたベースレイヤ画像符号化ストリームを復号し、ベースレイヤ画像を得る。復号部６３３は、逆多重化部６３１により抽出されたノンベースレイヤ画像符号化ストリームを復号し、ノンベースレイヤ画像を得る。
【０１１７】
この階層画像復号装置６３０の復号部６３２および復号部６３３に対して、復号装置１１０（図２５）を適用することができる。つまり、エンハンスメントレイヤと解像度情報のデフォルトのマッピングを改善できる。また、復号部６１２および復号部６１３は、互いに同一のフラグやパラメータ（例えば、画像間の処理に関するシンタクス要素等）を用いて、復号を行うことができる（すなわち、フラグやパラメータを共有することができる）ので、符号化効率の低減を抑制することができる。
【０１１８】
＜第４実施の形態＞
（テレビジョン装置の構成例）
図２１は、本開示を適用したテレビジョン装置の概略構成を例示している。テレビジョン装置９００は、アンテナ９０１、チューナ９０２、デマルチプレクサ９０３、デコーダ９０４、映像信号処理部９０５、表示部９０６、音声信号処理部９０７、スピーカ９０８、外部インタフェース部９０９を有している。さらに、テレビジョン装置９００は、制御部９１０、ユーザインタフェース部９１１等を有している。
【０１１９】
チューナ９０２は、アンテナ９０１で受信された放送波信号から所望のチャンネルを選局して復調を行い、得られた符号化ビットストリームをデマルチプレクサ９０３に出力する。
【０１２０】
デマルチプレクサ９０３は、符号化ビットストリームから視聴対象である番組の映像や音声のパケットを抽出して、抽出したパケットのデータをデコーダ９０４に出力する。また、デマルチプレクサ９０３は、ＥＰＧ（Electronic Program Guide）等のデータのパケットを制御部９１０に供給する。なお、スクランブルが行われている場合、デマルチプレクサ等でスクランブルの解除を行う。
【０１２１】
デコーダ９０４は、パケットの復号化処理を行い、復号処理化によって生成された映像データを映像信号処理部９０５、音声データを音声信号処理部９０７に出力する。
【０１２２】
映像信号処理部９０５は、映像データに対して、ノイズ除去やユーザ設定に応じた映像処理等を行う。映像信号処理部９０５は、表示部９０６に表示させる番組の映像データや、ネットワークを介して供給されるアプリケーションに基づく処理による画像データなどを生成する。また、映像信号処理部９０５は、項目の選択などのメニュー画面等を表示するための映像データを生成し、それを番組の映像データに重畳する。映像信号処理部９０５は、このようにして生成した映像データに基づいて駆動信号を生成して表示部９０６を駆動する。
【０１２３】
表示部９０６は、映像信号処理部９０５からの駆動信号に基づき表示デバイス（例えば液晶表示素子等）を駆動して、番組の映像などを表示させる。
【０１２４】
音声信号処理部９０７は、音声データに対してノイズ除去などの所定の処理を施し、処理後の音声データのＤ／Ａ変換処理や増幅処理を行いスピーカ９０８に供給することで音声出力を行う。
【０１２５】
外部インタフェース部９０９は、外部機器やネットワークと接続するためのインタフェースであり、映像データや音声データ等のデータ送受信を行う。
【０１２６】
制御部９１０にはユーザインタフェース部９１１が接続されている。ユーザインタフェース部９１１は、操作スイッチやリモートコントロール信号受信部等で構成されており、ユーザ操作に応じた操作信号を制御部９１０に供給する。
【０１２７】
制御部９１０は、ＣＰＵ(Central Processing Unit)やメモリ等を用いて構成されている。メモリは、ＣＰＵにより実行されるプログラムやＣＰＵが処理を行う上で必要な各種のデータ、ＥＰＧデータ、ネットワークを介して取得されたデータ等を記憶する。メモリに記憶されているプログラムは、テレビジョン装置９００の起動時などの所定タイミングでＣＰＵにより読み出されて実行される。ＣＰＵは、プログラムを実行することで、テレビジョン装置９００がユーザ操作に応じた動作となるように各部を制御する。
【０１２８】
なお、テレビジョン装置９００では、チューナ９０２、デマルチプレクサ９０３、映像信号処理部９０５、音声信号処理部９０７、外部インタフェース部９０９等と制御部９１０を接続するためバス９１２が設けられている。
【０１２９】
このように構成されたテレビジョン装置では、デコーダ９０４に本願の復号装置（復号方法）の機能が設けられる。このため、符号化ストリームの復号処理において、エンハンスメントレイヤと解像度情報のデフォルトのマッピングを改善できる。
【０１３０】
＜第５実施の形態＞
（携帯電話機の構成例）
図２２は、本開示を適用した携帯電話機の概略構成を例示している。携帯電話機９２０は、通信部９２２、音声コーデック９２３、カメラ部９２６、画像処理部９２７、多重分離部９２８、記録再生部９２９、表示部９３０、制御部９３１を有している。これらは、バス９３３を介して互いに接続されている。
【０１３１】
また、通信部９２２にはアンテナ９２１が接続されており、音声コーデック９２３には、スピーカ９２４とマイクロホン９２５が接続されている。さらに制御部９３１には、操作部９３２が接続されている。
【０１３２】
携帯電話機９２０は、音声通話モードやデータ通信モード等の各種モードで、音声信号の送受信、電子メールや画像データの送受信、画像撮影、またはデータ記録等の各種動作を行う。
【０１３３】
音声通話モードにおいて、マイクロホン９２５で生成された音声信号は、音声コーデック９２３で音声データへの変換やデータ圧縮が行われて通信部９２２に供給される。通信部９２２は、音声データの変調処理や周波数変換処理等を行い、送信信号を生成する。また、通信部９２２は、送信信号をアンテナ９２１に供給して図示しない基地局へ送信する。また、通信部９２２は、アンテナ９２１で受信した受信信号の増幅や周波数変換処理および復調処理等を行い、得られた音声データを音声コーデック９２３に供給する。音声コーデック９２３は、音声データのデータ伸張やアナログ音声信号への変換を行いスピーカ９２４に出力する。
【０１３４】
また、データ通信モードにおいて、メール送信を行う場合、制御部９３１は、操作部９３２の操作によって入力された文字データを受け付けて、入力された文字を表示部９３０に表示する。また、制御部９３１は、操作部９３２におけるユーザ指示等に基づいてメールデータを生成して通信部９２２に供給する。通信部９２２は、メールデータの変調処理や周波数変換処理等を行い、得られた送信信号をアンテナ９２１から送信する。また、通信部９２２は、アンテナ９２１で受信した受信信号の増幅や周波数変換処理および復調処理等を行い、メールデータを復元する。このメールデータを、表示部９３０に供給して、メール内容の表示を行う。
【０１３５】
なお、携帯電話機９２０は、受信したメールデータを、記録再生部９２９で記憶媒体に記憶させることも可能である。記憶媒体は、書き換え可能な任意の記憶媒体である。例えば、記憶媒体は、ＲＡＭや内蔵型フラッシュメモリ等の半導体メモリ、ハードディスク、磁気ディスク、光磁気ディスク、光ディスク、USB（Universal Serial Bus）メモリ、またはメモリカード等のリムーバブルメディアである。
【０１３６】
データ通信モードにおいて画像データを送信する場合、カメラ部９２６で生成された画像データを、画像処理部９２７に供給する。画像処理部９２７は、画像データの符号化処理を行い、符号化データを生成する。
【０１３７】
多重分離部９２８は、画像処理部９２７で生成された符号化データと、音声コーデック９２３から供給された音声データを所定の方式で多重化して通信部９２２に供給する。通信部９２２は、多重化データの変調処理や周波数変換処理等を行い、得られた送信信号をアンテナ９２１から送信する。また、通信部９２２は、アンテナ９２１で受信した受信信号の増幅や周波数変換処理および復調処理等を行い、多重化データを復元する。この多重化データを多重分離部９２８に供給する。多重分離部９２８は、多重化データの分離を行い、符号化データを画像処理部９２７、音声データを音声コーデック９２３に供給する。画像処理部９２７は、符号化データの復号化処理を行い、画像データを生成する。この画像データを表示部９３０に供給して、受信した画像の表示を行う。音声コーデック９２３は、音声データをアナログ音声信号に変換してスピーカ９２４に供給して、受信した音声を出力する。
【０１３８】
このように構成された携帯電話装置では、画像処理部９２７に本願の符号化装置および復号装置（符号化方法および復号方法）の機能が設けられる。このため、エンハンスメントレイヤと解像度情報のデフォルトのマッピングを改善できる。
【０１３９】
＜第６実施の形態＞
（記録再生装置の構成例）
図２３は、本開示を適用した記録再生装置の概略構成を例示している。記録再生装置９４０は、例えば受信した放送番組のオーディオデータとビデオデータを、記録媒体に記録して、その記録されたデータをユーザの指示に応じたタイミングでユーザに提供する。また、記録再生装置９４０は、例えば他の装置からオーディオデータやビデオデータを取得し、それらを記録媒体に記録させることもできる。さらに、記録再生装置９４０は、記録媒体に記録されているオーディオデータやビデオデータを復号して出力することで、モニタ装置等において画像表示や音声出力を行うことができるようにする。
【０１４０】
記録再生装置９４０は、チューナ９４１、外部インタフェース部９４２、エンコーダ９４３、ＨＤＤ（Hard Disk Drive）部９４４、ディスクドライブ９４５、セレクタ９４６、デコーダ９４７、ＯＳＤ（On-Screen Display）部９４８、制御部９４９、ユーザインタフェース部９５０を有している。
【０１４１】
チューナ９４１は、図示しないアンテナで受信された放送信号から所望のチャンネルを選局する。チューナ９４１は、所望のチャンネルの受信信号を復調して得られた符号化ビットストリームをセレクタ９４６に出力する。
【０１４２】
外部インタフェース部９４２は、ＩＥＥＥ１３９４インタフェース、ネットワークインタフェース部、ＵＳＢインタフェース、フラッシュメモリインタフェース等の少なくともいずれかで構成されている。外部インタフェース部９４２は、外部機器やネットワーク、メモリカード等と接続するためのインタフェースであり、記録する映像データや音声データ等のデータ受信を行う。
【０１４３】
エンコーダ９４３は、外部インタフェース部９４２から供給された映像データや音声データが符号化されていないとき所定の方式で符号化を行い、符号化ビットストリームをセレクタ９４６に出力する。
【０１４４】
ＨＤＤ部９４４は、映像や音声等のコンテンツデータ、各種プログラムやその他のデータ等を内蔵のハードディスクに記録し、また再生時等にそれらを当該ハードディスクから読み出す。
【０１４５】
ディスクドライブ９４５は、装着されている光ディスクに対する信号の記録および再生を行う。光ディスク、例えばＤＶＤディスク（ＤＶＤ−Ｖｉｄｅｏ、ＤＶＤ−ＲＡＭ、ＤＶＤ−Ｒ、ＤＶＤ−ＲＷ、ＤＶＤ＋Ｒ、ＤＶＤ＋ＲＷ等）やＢｌｕ−ｒａｙ（登録商標）ディスク等である。
【０１４６】
セレクタ９４６は、映像や音声の記録時には、チューナ９４１またはエンコーダ９４３からのいずれかの符号化ビットストリームを選択して、ＨＤＤ部９４４やディスクドライブ９４５のいずれかに供給する。また、セレクタ９４６は、映像や音声の再生時に、ＨＤＤ部９４４またはディスクドライブ９４５から出力された符号化ビットストリームをデコーダ９４７に供給する。
【０１４７】
デコーダ９４７は、符号化ビットストリームの復号化処理を行う。デコーダ９４７は、復号処理化を行うことにより生成された映像データをＯＳＤ部９４８に供給する。また、デコーダ９４７は、復号処理化を行うことにより生成された音声データを出力する。
【０１４８】
ＯＳＤ部９４８は、項目の選択などのメニュー画面等を表示するための映像データを生成し、それをデコーダ９４７から出力された映像データに重畳して出力する。
【０１４９】
制御部９４９には、ユーザインタフェース部９５０が接続されている。ユーザインタフェース部９５０は、操作スイッチやリモートコントロール信号受信部等で構成されており、ユーザ操作に応じた操作信号を制御部９４９に供給する。
【０１５０】
制御部９４９は、ＣＰＵやメモリ等を用いて構成されている。メモリは、ＣＰＵにより実行されるプログラムやＣＰＵが処理を行う上で必要な各種のデータを記憶する。メモリに記憶されているプログラムは、記録再生装置９４０の起動時などの所定タイミングでＣＰＵにより読み出されて実行される。ＣＰＵは、プログラムを実行することで、記録再生装置９４０がユーザ操作に応じた動作となるように各部を制御する。
【０１５１】
このように構成された記録再生装置では、エンコーダ９４３に本願の符号化装置（符号化方法）の機能が設けられる。このため、符号化ストリームの符号化において、エンハンスメントレイヤと解像度情報のデフォルトのマッピングを改善できる。また、デコーダ９４７に本願の復号装置（復号方法）の機能が設けられる。このため、符号化ストリームの復号において、エンハンスメントレイヤと解像度情報のデフォルトのマッピングを改善できる。
【０１５２】
＜第７実施の形態＞
（撮像装置の構成例）
図２４は、本開示を適用した撮像装置の概略構成を例示している。撮像装置９６０は、被写体を撮像し、被写体の画像を表示部に表示させたり、それを画像データとして、記録媒体に記録する。
【０１５３】
撮像装置９６０は、光学ブロック９６１、撮像部９６２、カメラ信号処理部９６３、画像データ処理部９６４、表示部９６５、外部インタフェース部９６６、メモリ部９６７、メディアドライブ９６８、ＯＳＤ部９６９、制御部９７０を有している。また、制御部９７０には、ユーザインタフェース部９７１が接続されている。さらに、画像データ処理部９６４や外部インタフェース部９６６、メモリ部９６７、メディアドライブ９６８、ＯＳＤ部９６９、制御部９７０等は、バス９７２を介して接続されている。
【０１５４】
光学ブロック９６１は、フォーカスレンズや絞り機構等を用いて構成されている。光学ブロック９６１は、被写体の光学像を撮像部９６２の撮像面に結像させる。撮像部９６２は、ＣＣＤまたはＣＭＯＳイメージセンサを用いて構成されており、光電変換によって光学像に応じた電気信号を生成してカメラ信号処理部９６３に供給する。
【０１５５】
カメラ信号処理部９６３は、撮像部９６２から供給された電気信号に対してニー補正やガンマ補正、色補正等の種々のカメラ信号処理を行う。カメラ信号処理部９６３は、カメラ信号処理後の画像データを画像データ処理部９６４に供給する。
【０１５６】
画像データ処理部９６４は、カメラ信号処理部９６３から供給された画像データの符号化処理を行う。画像データ処理部９６４は、符号化処理を行うことにより生成された符号化データを外部インタフェース部９６６やメディアドライブ９６８に供給する。また、画像データ処理部９６４は、外部インタフェース部９６６やメディアドライブ９６８から供給された符号化データの復号化処理を行う。画像データ処理部９６４は、復号化処理を行うことにより生成された画像データを表示部９６５に供給する。また、画像データ処理部９６４は、カメラ信号処理部９６３から供給された画像データを表示部９６５に供給する処理や、ＯＳＤ部９６９から取得した表示用データを、画像データに重畳させて表示部９６５に供給する。
【０１５７】
ＯＳＤ部９６９は、記号、文字、または図形からなるメニュー画面やアイコンなどの表示用データを生成して画像データ処理部９６４に出力する。
【０１５８】
外部インタフェース部９６６は、例えば、ＵＳＢ入出力端子などで構成され、画像の印刷を行う場合に、プリンタと接続される。また、外部インタフェース部９６６には、必要に応じてドライブが接続され、磁気ディスク、光ディスク等のリムーバブルメディアが適宜装着され、それらから読み出されたコンピュータプログラムが、必要に応じて、インストールされる。さらに、外部インタフェース部９６６は、ＬＡＮやインターネット等の所定のネットワークに接続されるネットワークインタフェースを有する。制御部９７０は、例えば、ユーザインタフェース部９７１からの指示にしたがって、メディアドライブ９６８から符号化データを読み出し、それを外部インタフェース部９６６から、ネットワークを介して接続される他の装置に供給させることができる。また、制御部９７０は、ネットワークを介して他の装置から供給される符号化データや画像データを、外部インタフェース部９６６を介して取得し、それを画像データ処理部９６４に供給したりすることができる。
【０１５９】
メディアドライブ９６８で駆動される記録メディアとしては、例えば、磁気ディスク、光磁気ディスク、光ディスク、または半導体メモリ等の、読み書き可能な任意のリムーバブルメディアが用いられる。また、記録メディアは、リムーバブルメディアとしての種類も任意であり、テープデバイスであってもよいし、ディスクであってもよいし、メモリカードであってもよい。もちろん、非接触IC（Integrated Circuit）カード等であってもよい。
【０１６０】
また、メディアドライブ９６８と記録メディアを一体化し、例えば、内蔵型ハードディスクドライブやＳＳＤ（Solid State Drive）等のように、非可搬性の記憶媒体により構成されるようにしてもよい。
【０１６１】
制御部９７０は、ＣＰＵを用いて構成されている。メモリ部９６７は、制御部９７０により実行されるプログラムや制御部９７０が処理を行う上で必要な各種のデータ等を記憶する。メモリ部９６７に記憶されているプログラムは、撮像装置９６０の起動時などの所定タイミングで制御部９７０により読み出されて実行される。制御部９７０は、プログラムを実行することで、撮像装置９６０がユーザ操作に応じた動作となるように各部を制御する。
【０１６２】
このように構成された撮像装置では、画像データ処理部９６４に本願の符号化装置および復号装置（符号化方法および復号方法）の機能が設けられる。このため、符号化ストリームの符号化または復号において、エンハンスメントレイヤと解像度情報のデフォルトのマッピングを改善できる。
【０１６３】
＜スケーラブル符号化の応用例＞
（第１のシステム）
次に、スケーラブル符号化（階層符号化）されたスケーラブル符号化データの具体的な利用例について説明する。スケーラブル符号化は、例えば、図２５に示される例のように、伝送するデータの選択のために利用される。
【０１６４】
図２５に示されるデータ伝送システム１０００において、配信サーバ１００２は、スケーラブル符号化データ記憶部１００１に記憶されているスケーラブル符号化データを読み出し、ネットワーク１００３を介して、パーソナルコンピュータ１００４、AV機器１００５、タブレットデバイス１００６、および携帯電話機１００７等の端末装置に配信する。  
【０１６５】
その際、配信サーバ１００２は、端末装置の能力や通信環境等に応じて、適切な品質の符号化データを選択して伝送する。配信サーバ１００２が不要に高品質なデータを伝送しても、端末装置において高画質な画像を得られるとは限らず、遅延やオーバーフローの発生要因となる恐れがある。また、不要に通信帯域を占有したり、端末装置の負荷を不要に増大させたりしてしまう恐れもある。逆に、配信サーバ１００２が不要に低品質なデータを伝送しても、端末装置において十分な画質の画像を得ることができない恐れがある。そのため、配信サーバ１００２は、スケーラブル符号化データ記憶部１００１に記憶されているスケーラブル符号化データを、適宜、端末装置の能力や通信環境等に対して適切な品質の符号化データとして読み出し、伝送する。
【０１６６】
例えば、スケーラブル符号化データ記憶部１００１は、スケーラブルに符号化されたスケーラブル符号化データ（BL+EL）１０１１を記憶するとする。このスケーラブル符号化データ（BL+EL）１０１１は、ベースレイヤとエンハンスメントレイヤの両方を含む符号化データであり、復号することにより、ベースレイヤの画像およびエンハンスメントレイヤの画像の両方を得ることができるデータである。
【０１６７】
配信サーバ１００２は、データを伝送する端末装置の能力や通信環境等に応じて、適切なレイヤを選択し、そのレイヤのデータを読み出す。例えば、配信サーバ１００２は、処理能力の高いパーソナルコンピュータ１００４やタブレットデバイス１００６に対しては、高品質なスケーラブル符号化データ（BL+EL）１０１１をスケーラブル符号化データ記憶部１００１から読み出し、そのまま伝送する。これに対して、例えば、配信サーバ１００２は、処理能力の低いAV機器１００５や携帯電話機１００７に対しては、スケーラブル符号化データ（BL+EL）１０１１からベースレイヤのデータを抽出し、スケーラブル符号化データ（BL+EL）１０１１と同じコンテンツのデータであるが、スケーラブル符号化データ（BL+EL）１０１１よりも低品質なスケーラブル符号化データ（BL）１０１２として伝送する。
【０１６８】
このようにスケーラブル符号化データを用いることにより、データ量を容易に調整することができるので、遅延やオーバーフローの発生を抑制したり、端末装置や通信媒体の負荷の不要な増大を抑制したりすることができる。また、スケーラブル符号化データ（BL+EL）１０１１は、レイヤ間の冗長性が低減されているので、各レイヤの符号化データを個別のデータとする場合よりもそのデータ量を低減させることができる。したがって、スケーラブル符号化データ記憶部１００１の記憶領域をより効率よく使用することができる。
【０１６９】
なお、パーソナルコンピュータ１００４乃至携帯電話機１００７のように、端末装置には様々な装置を適用することができるので、端末装置のハードウエアの性能は、装置によって異なる。また、端末装置が実行するアプリケーションも様々であるので、そのソフトウエアの能力も様々である。さらに、通信媒体となるネットワーク１００３も、例えばインターネットやLAN（Local Area Network）等、有線若しくは無線、またはその両方を含むあらゆる通信回線網を適用することができ、そのデータ伝送能力は様々である。さらに、他の通信等によっても変化する恐れがある。
【０１７０】
そこで、配信サーバ１００２は、データ伝送を開始する前に、データの伝送先となる端末装置と通信を行い、端末装置のハードウエア性能や、端末装置が実行するアプリケーション（ソフトウエア）の性能等といった端末装置の能力に関する情報、並びに、ネットワーク１００３の利用可能帯域幅等の通信環境に関する情報を得るようにしてもよい。そして、配信サーバ１００２が、ここで得た情報を基に、適切なレイヤを選択するようにしてもよい。
【０１７１】
なお、レイヤの抽出は、端末装置において行うようにしてもよい。例えば、パーソナルコンピュータ１００４が、伝送されたスケーラブル符号化データ（BL+EL）１０１１を復号し、ベースレイヤの画像を表示しても良いし、エンハンスメントレイヤの画像を表示しても良い。また、例えば、パーソナルコンピュータ１００４が、伝送されたスケーラブル符号化データ（BL+EL）１０１１から、ベースレイヤのスケーラブル符号化データ（BL）１０１２を抽出し、記憶したり、他の装置に転送したり、復号してベースレイヤの画像を表示したりするようにしてもよい。
【０１７２】
もちろん、スケーラブル符号化データ記憶部１００１、配信サーバ１００２、ネットワーク１００３、および端末装置の数はいずれも任意である。また、以上においては、配信サーバ１００２がデータを端末装置に伝送する例について説明したが、利用例はこれに限定されない。データ伝送システム１０００は、スケーラブル符号化された符号化データを端末装置に伝送する際、端末装置の能力や通信環境等に応じて、適切なレイヤを選択して伝送するシステムであれば、任意のシステムに適用することができる。
【０１７３】
（第２のシステム）
また、スケーラブル符号化は、例えば、図２６に示される例のように、複数の通信媒体を介する伝送のために利用される。
【０１７４】
図２６に示されるデータ伝送システム１１００において、放送局１１０１は、地上波放送１１１１により、ベースレイヤのスケーラブル符号化データ（BL）１１２１を伝送する。また、放送局１１０１は、有線若しくは無線またはその両方の通信網よりなる任意のネットワーク１１１２を介して、エンハンスメントレイヤのスケーラブル符号化データ（EL）１１２２を伝送する（例えばパケット化して伝送する）。
【０１７５】
端末装置１１０２は、放送局１１０１が放送する地上波放送１１１１の受信機能を有し、この地上波放送１１１１を介して伝送されるベースレイヤのスケーラブル符号化データ（BL）１１２１を受け取る。また、端末装置１１０２は、ネットワーク１１１２を介した通信を行う通信機能をさらに有し、このネットワーク１１１２を介して伝送されるエンハンスメントレイヤのスケーラブル符号化データ（EL）１１２２を受け取る。
【０１７６】
端末装置１１０２は、例えばユーザ指示等に応じて、地上波放送１１１１を介して取得したベースレイヤのスケーラブル符号化データ（BL）１１２１を、復号してベースレイヤの画像を得たり、記憶したり、他の装置に伝送したりする。
【０１７７】
また、端末装置１１０２は、例えばユーザ指示等に応じて、地上波放送１１１１を介して取得したベースレイヤのスケーラブル符号化データ（BL）１１２１と、ネットワーク１１１２を介して取得したエンハンスメントレイヤのスケーラブル符号化データ（EL）１１２２とを合成して、スケーラブル符号化データ（BL+EL）を得たり、それを復号してエンハンスメントレイヤの画像を得たり、記憶したり、他の装置に伝送したりする。
【０１７８】
以上のように、スケーラブル符号化データは、例えばレイヤ毎に異なる通信媒体を介して伝送させることができる。したがって、負荷を分散させることができ、遅延やオーバーフローの発生を抑制することができる。
【０１７９】
また、状況に応じて、伝送に使用する通信媒体を、レイヤ毎に選択することができるようにしてもよい。例えば、データ量が比較的多いベースレイヤのスケーラブル符号化データ（BL）１１２１を帯域幅の広い通信媒体を介して伝送させ、データ量が比較的少ないエンハンスメントレイヤのスケーラブル符号化データ（EL）１１２２を帯域幅の狭い通信媒体を介して伝送させるようにしてもよい。また、例えば、エンハンスメントレイヤのスケーラブル符号化データ（EL）１１２２を伝送する通信媒体を、ネットワーク１１１２とするか、地上波放送１１１１とするかを、ネットワーク１１１２の利用可能帯域幅に応じて切り替えるようにしてもよい。もちろん、任意のレイヤのデータについて同様である。
【０１８０】
このように制御することにより、データ伝送における負荷の増大を、より抑制することができる。
【０１８１】
もちろん、レイヤ数は任意であり、伝送に利用する通信媒体の数も任意である。また、データ配信先となる端末装置１１０２の数も任意である。さらに、以上においては、放送局１１０１からの放送を例に説明したが、利用例はこれに限定されない。データ伝送システム１１００は、スケーラブル符号化された符号化データを、レイヤを単位として複数に分割し、複数の回線を介して伝送するシステムであれば、任意のシステムに適用することができる。
【０１８２】
（第３のシステム）
また、スケーラブル符号化は、例えば、図２７に示される例のように、符号化データの記憶に利用される。
【０１８３】
図２７に示される撮像システム１２００において、撮像装置１２０１は、被写体１２１１を撮像して得られた画像データをスケーラブル符号化し、スケーラブル符号化データ（BL+EL）１２２１として、スケーラブル符号化データ記憶装置１２０２に供給する。
【０１８４】
スケーラブル符号化データ記憶装置１２０２は、撮像装置１２０１から供給されるスケーラブル符号化データ（BL+EL）１２２１を、状況に応じた品質で記憶する。例えば、通常時の場合、スケーラブル符号化データ記憶装置１２０２は、スケーラブル符号化データ（BL+EL）１２２１からベースレイヤのデータを抽出し、低品質でデータ量の少ないベースレイヤのスケーラブル符号化データ（BL）１２２２として記憶する。これに対して、例えば、注目時の場合、スケーラブル符号化データ記憶装置１２０２は、高品質でデータ量の多いスケーラブル符号化データ（BL+EL）１２２１のまま記憶する。
【０１８５】
このようにすることにより、スケーラブル符号化データ記憶装置１２０２は、必要な場合のみ、画像を高画質に保存することができるので、画質劣化による画像の価値の低減を抑制しながら、データ量の増大を抑制することができ、記憶領域の利用効率を向上させることができる。
【０１８６】
例えば、撮像装置１２０１が監視カメラであるとする。撮像画像に監視対象（例えば侵入者）が写っていない場合（通常時の場合）、撮像画像の内容は重要でない可能性が高いので、データ量の低減が優先され、その画像データ（スケーラブル符号化データ）は、低品質に記憶される。これに対して、撮像画像に監視対象が被写体１２１１として写っている場合（注目時の場合）、その撮像画像の内容は重要である可能性が高いので、画質が優先され、その画像データ（スケーラブル符号化データ）は、高品質に記憶される。
【０１８７】
なお、通常時であるか注目時であるかは、例えば、スケーラブル符号化データ記憶装置１２０２が、画像を解析することにより判定しても良い。また、撮像装置１２０１が判定し、その判定結果をスケーラブル符号化データ記憶装置１２０２に伝送するようにしてもよい。
【０１８８】
なお、通常時であるか注目時であるかの判定基準は任意であり、判定基準とする画像の内容は任意である。もちろん、画像の内容以外の条件を判定基準とすることもできる。例えば、収録した音声の大きさや波形等に応じて切り替えるようにしてもよいし、所定の時間毎に切り替えるようにしてもよいし、ユーザ指示等の外部からの指示によって切り替えるようにしてもよい。
【０１８９】
また、以上においては、通常時と注目時の２つの状態を切り替える例を説明したが、状態の数は任意であり、例えば、通常時、やや注目時、注目時、非常に注目時等のように、３つ以上の状態を切り替えるようにしてもよい。ただし、この切り替える状態の上限数は、スケーラブル符号化データのレイヤ数に依存する。
【０１９０】
また、撮像装置１２０１が、スケーラブル符号化のレイヤ数を、状態に応じて決定するようにしてもよい。例えば、通常時の場合、撮像装置１２０１が、低品質でデータ量の少ないベースレイヤのスケーラブル符号化データ（BL）１２２２を生成し、スケーラブル符号化データ記憶装置１２０２に供給するようにしてもよい。また、例えば、注目時の場合、撮像装置１２０１が、高品質でデータ量の多いベースレイヤのスケーラブル符号化データ（BL+EL）１２２１を生成し、スケーラブル符号化データ記憶装置１２０２に供給するようにしてもよい。
【０１９１】
以上においては、監視カメラを例に説明したが、この撮像システム１２００の用途は任意であり、監視カメラに限定されない。
【０１９２】
＜第８実施の形態＞
（実施のその他の例）
以上において本開示を適用する装置やシステム等の例を説明したが、本開示は、これに限らず、このような装置またはシステムを構成する装置に搭載するあらゆる構成、例えば、システムLSI（Large Scale Integration）等としてのプロセッサ、複数のプロセッサ等を用いるモジュール、複数のモジュール等を用いるユニット、ユニットにさらにその他の機能を付加したセット等（すなわち、装置の一部の構成）として実施することもできる。
【０１９３】
（ビデオセットの構成例）
本開示をセットとして実施する場合の例について、図２８を参照して説明する。図２８は、本開示を適用したビデオセットの概略的な構成の一例を示している。
【０１９４】
近年、電子機器の多機能化が進んでおり、その開発や製造において、その一部の構成を販売や提供等として実施する場合、１機能を有する構成として実施を行う場合だけでなく、関連する機能を有する複数の構成を組み合わせ、複数の機能を有する１セットとして実施を行う場合も多く見られるようになってきた。
【０１９５】
図２８に示されるビデオセット１３００は、このような多機能化された構成であり、画像の符号化や復号（いずれか一方でもよいし、両方でも良い）に関する機能を有するデバイスに、その機能に関連するその他の機能を有するデバイスを組み合わせたものである。
【０１９６】
図２８に示されるように、ビデオセット１３００は、ビデオモジュール１３１１、外部メモリ１３１２、パワーマネージメントモジュール１３１３、およびフロントエンドモジュール１３１４等のモジュール群と、コネクティビティ１３２１、カメラ１３２２、およびセンサ１３２３等の関連する機能を有するデバイスとを有する。
【０１９７】
モジュールは、互いに関連するいくつかの部品的機能をまとめ、まとまりのある機能を持った部品としたものである。具体的な物理的構成は任意であるが、例えば、それぞれ機能を有する複数のプロセッサ、抵抗やコンデンサ等の電子回路素子、その他のデバイス等を配線基板等に配置して一体化したものが考えられる。また、モジュールに他のモジュールやプロセッサ等を組み合わせて新たなモジュールとすることも考えられる。
【０１９８】
図２８の例の場合、ビデオモジュール１３１１は、画像処理に関する機能を有する構成を組み合わせたものであり、アプリケーションプロセッサ、ビデオプロセッサ、ブロードバンドモデム１３３３、およびRFモジュール１３３４を有する。
【０１９９】
プロセッサは、所定の機能を有する構成をSoC（System On a Chip）により半導体チップに集積したものであり、例えばシステムLSI（Large Scale Integration）等と称されるものもある。この所定の機能を有する構成は、論理回路（ハードウエア構成）であってもよいし、CPU、ROM、RAM等と、それらを用いて実行されるプログラム（ソフトウエア構成）であってもよいし、その両方を組み合わせたものであってもよい。例えば、プロセッサが、論理回路とCPU、ROM、RAM等とを有し、機能の一部を論理回路（ハードウエア構成）により実現し、その他の機能をCPUにおいて実行されるプログラム（ソフトウエア構成）により実現するようにしてもよい。
【０２００】
図２８のアプリケーションプロセッサ１３３１は、画像処理に関するアプリケーションを実行するプロセッサである。このアプリケーションプロセッサ１３３１において実行されるアプリケーションは、所定の機能を実現するために、演算処理を行うだけでなく、例えばビデオプロセッサ１３３２等、ビデオモジュール１３１１内外の構成を必要に応じて制御することもできる。
【０２０１】
ビデオプロセッサ１３３２は、画像の符号化・復号（その一方若しくは両方）に関する機能を有するプロセッサである。
【０２０２】
ブロードバンドモデム１３３３は、インターネットや公衆電話回線網等の広帯域の回線を介して行われる有線若しくは無線（またはその両方）の広帯域通信に関する処理を行うプロセッサ（若しくはモジュール）である。例えば、ブロードバンドモデム１３３３は、送信するデータ（デジタル信号）をデジタル変調する等してアナログ信号に変換したり、受信したアナログ信号を復調してデータ（デジタル信号）に変換したりする。例えば、ブロードバンドモデム１３３３は、ビデオプロセッサ１３３２が処理する画像データや画像データが符号化されたストリーム、アプリケーションプログラム、設定データ等、任意の情報をデジタル変調・復調することができる。
【０２０３】
RFモジュール１３３４は、アンテナを介して送受信されるRF（Radio Frequency）信号に対して、周波数変換、変復調、増幅、フィルタ処理等を行うモジュールである。例えば、RFモジュール１３３４は、ブロードバンドモデム１３３３により生成されたベースバンド信号に対して周波数変換等を行ってRF信号を生成する。また、例えば、RFモジュール１３３４は、フロントエンドモジュール１３１４を介して受信されたRF信号に対して周波数変換等を行ってベースバンド信号を生成する。
【０２０４】
なお、図２８において点線１３４１に示されるように、アプリケーションプロセッサ１３３１とビデオプロセッサ１３３２を、一体化し、１つのプロセッサとして構成されるようにしてもよい。
【０２０５】
外部メモリ１３１２は、ビデオモジュール１３１１の外部に設けられた、ビデオモジュール１３１１により利用される記憶デバイスを有するモジュールである。この外部メモリ１３１２の記憶デバイスは、どのような物理構成により実現するようにしてもよいが、一般的にフレーム単位の画像データのような大容量のデータの格納に利用されることが多いので、例えばDRAM（Dynamic Random Access Memory）のような比較的安価で大容量の半導体メモリにより実現するのが望ましい。
【０２０６】
パワーマネージメントモジュール１３１３は、ビデオモジュール１３１１（ビデオモジュール１３１１内の各構成）への電力供給を管理し、制御する。
【０２０７】
フロントエンドモジュール１３１４は、RFモジュール１３３４に対してフロントエンド機能（アンテナ側の送受信端の回路）を提供するモジュールである。図２０に示されるように、フロントエンドモジュール１３１４は、例えば、アンテナ部１３５１、フィルタ１３５２、および増幅部１３５３を有する。
【０２０８】
アンテナ部１３５１は、無線信号を送受信するアンテナおよびその周辺の構成を有する。アンテナ部１３５１は、増幅部１３５３から供給される信号を無線信号として送信し、受信した無線信号を電気信号（RF信号）としてフィルタ１３５２に供給する。フィルタ１３５２は、アンテナ部１３５１を介して受信されたRF信号に対してフィルタ処理等を行い、処理後のRF信号をRFモジュール１３３４に供給する。増幅部１３５３は、RFモジュール１３３４から供給されるRF信号を増幅し、アンテナ部１３５１に供給する。
【０２０９】
コネクティビティ１３２１は、外部との接続に関する機能を有するモジュールである。コネクティビティ１３２１の物理構成は、任意である。例えば、コネクティビティ１３２１は、ブロードバンドモデム１３３３が対応する通信規格以外の通信機能を有する構成や、外部入出力端子等を有する。
【０２１０】
例えば、コネクティビティ１３２１が、Bluetooth（登録商標）、IEEE 802.11（例えばWi-Fi（Wireless Fidelity、登録商標））、NFC（Near Field Communication）、IrDA（InfraRed Data Association）等の無線通信規格に準拠する通信機能を有するモジュールや、その規格に準拠した信号を送受信するアンテナ等を有するようにしてもよい。また、例えば、コネクティビティ１３２１が、USB（Universal Serial Bus）、HDMI（登録商標）（High-Definition Multimedia Interface）等の有線通信規格に準拠する通信機能を有するモジュールや、その規格に準拠した端子を有するようにしてもよい。さらに、例えば、コネクティビティ１３２１が、アナログ入出力端子等のその他のデータ（信号）伝送機能等を有するようにしてもよい。
【０２１１】
なお、コネクティビティ１３２１が、データ（信号）の伝送先のデバイスを含むようにしてもよい。例えば、コネクティビティ１３２１が、磁気ディスク、光ディスク、光磁気ディスク、または半導体メモリ等の記録媒体に対してデータの読み出しや書き込みを行うドライブ（リムーバブルメディアのドライブだけでなく、ハードディスク、SSD（Solid State Drive）、NAS（Network Attached Storage）等も含む）を有するようにしてもよい。また、コネクティビティ１３２１が、画像や音声の出力デバイス（モニタやスピーカ等）を有するようにしてもよい。
【０２１２】
カメラ１３２２は、被写体を撮像し、被写体の画像データを得る機能を有するモジュールである。カメラ１３２２の撮像により得られた画像データは、例えば、ビデオプロセッサ１３３２に供給されて符号化される。
【０２１３】
センサ１３２３は、例えば、音声センサ、超音波センサ、光センサ、照度センサ、赤外線センサ、イメージセンサ、回転センサ、角度センサ、角速度センサ、速度センサ、加速度センサ、傾斜センサ、磁気識別センサ、衝撃センサ、温度センサ等、任意のセンサ機能を有するモジュールである。センサ１３２３により検出されたデータは、例えば、アプリケーションプロセッサ１３３１に供給されてアプリケーション等により利用される。
【０２１４】
以上においてモジュールとして説明した構成をプロセッサとして実現するようにしてもよいし、逆にプロセッサとして説明した構成をモジュールとして実現するようにしてもよい。
【０２１５】
以上のような構成のビデオセット１３００において、後述するようにビデオプロセッサ１３３２に本開示を適用することができる。したがって、ビデオセット１３００は、本開示を適用したセットとして実施することができる。
【０２１６】
（ビデオプロセッサの構成例）
図２９は、本開示を適用したビデオプロセッサ１３３２（図２８）の概略的な構成の一例を示している。
【０２１７】
図２９の例の場合、ビデオプロセッサ１３３２は、ビデオ信号およびオーディオ信号の入力を受けてこれらを所定の方式で符号化する機能と、符号化されたビデオデータおよびオーディオデータを復号し、ビデオ信号およびオーディオ信号を再生出力する機能とを有する。
【０２１８】
図２９に示されるように、ビデオプロセッサ１３３２は、ビデオ入力処理部１４０１、第１画像拡大縮小部１４０２、第２画像拡大縮小部１４０３、ビデオ出力処理部１４０４、フレームメモリ１４０５、およびメモリ制御部１４０６を有する。また、ビデオプロセッサ１３３２は、エンコード・デコードエンジン１４０７、ビデオES（Elementary Stream）バッファ１４０８Ａおよび１４０８Ｂ、並びに、オーディオESバッファ１４０９Ａおよび１４０９Ｂを有する。さらに、ビデオプロセッサ１３３２は、オーディオエンコーダ１４１０、オーディオデコーダ１４１１、多重化部（MUX（Multiplexer））１４１２、逆多重化部（DMUX（Demultiplexer））１４１３、およびストリームバッファ１４１４を有する。
【０２１９】
ビデオ入力処理部１４０１は、例えばコネクティビティ１３２１（図２８）等から入力されたビデオ信号を取得し、デジタル画像データに変換する。第１画像拡大縮小部１４０２は、画像データに対してフォーマット変換や画像の拡大縮小処理等を行う。第２画像拡大縮小部１４０３は、画像データに対して、ビデオ出力処理部１４０４を介して出力する先でのフォーマットに応じて画像の拡大縮小処理を行ったり、第１画像拡大縮小部１４０２と同様のフォーマット変換や画像の拡大縮小処理等を行ったりする。ビデオ出力処理部１４０４は、画像データに対して、フォーマット変換やアナログ信号への変換等を行って、再生されたビデオ信号として例えばコネクティビティ１３２１（図２８）等に出力する。
【０２２０】
フレームメモリ１４０５は、ビデオ入力処理部１４０１、第１画像拡大縮小部１４０２、第２画像拡大縮小部１４０３、ビデオ出力処理部１４０４、およびエンコード・デコードエンジン１４０７によって共用される画像データ用のメモリである。フレームメモリ１４０５は、例えばDRAM等の半導体メモリとして実現される。
【０２２１】
メモリ制御部１４０６は、エンコード・デコードエンジン１４０７からの同期信号を受けて、アクセス管理テーブル１４０６Ａに書き込まれたフレームメモリ１４０５へのアクセススケジュールに従ってフレームメモリ１４０５に対する書き込み・読み出しのアクセスを制御する。アクセス管理テーブル１４０６Ａは、エンコード・デコードエンジン１４０７、第１画像拡大縮小部１４０２、第２画像拡大縮小部１４０３等で実行される処理に応じて、メモリ制御部１４０６により更新される。
【０２２２】
エンコード・デコードエンジン１４０７は、画像データのエンコード処理、並びに、画像データが符号化されたデータであるビデオストリームのデコード処理を行う。例えば、エンコード・デコードエンジン１４０７は、フレームメモリ１４０５から読み出した画像データを符号化し、ビデオストリームとしてビデオESバッファ１４０８Ａに順次書き込む。また、例えば、ビデオESバッファ１４０８Ｂからビデオストリームを順次読み出して復号し、画像データとしてフレームメモリ１４０５に順次書き込む。エンコード・デコードエンジン１４０７は、これらの符号化や復号において、フレームメモリ１４０５を作業領域として使用する。また、エンコード・デコードエンジン１４０７は、例えばマクロブロック毎の処理を開始するタイミングで、メモリ制御部１４０６に対して同期信号を出力する。
【０２２３】
ビデオESバッファ１４０８Ａは、エンコード・デコードエンジン１４０７によって生成されたビデオストリームをバッファリングして、多重化部（MUX）１４１２に供給する。ビデオESバッファ１４０８Ｂは、逆多重化部（DMUX）１４１３から供給されたビデオストリームをバッファリングして、エンコード・デコードエンジン１４０７に供給する。
【０２２４】
オーディオESバッファ１４０９Ａは、オーディオエンコーダ１４１０によって生成されたオーディオストリームをバッファリングして、多重化部（MUX）１４１２に供給する。オーディオESバッファ１４０９Ｂは、逆多重化部（DMUX）１４１３から供給されたオーディオストリームをバッファリングして、オーディオデコーダ１４１１に供給する。
【０２２５】
オーディオエンコーダ１４１０は、例えばコネクティビティ１３２１（図２８）等から入力されたオーディオ信号を例えばデジタル変換し、例えばMPEGオーディオ方式やAC3（AudioCode number 3）方式等の所定の方式で符号化する。オーディオエンコーダ１４１０は、オーディオ信号が符号化されたデータであるオーディオストリームをオーディオESバッファ１４０９Ａに順次書き込む。オーディオデコーダ１４１１は、オーディオESバッファ１４０９Ｂから供給されたオーディオストリームを復号し、例えばアナログ信号への変換等を行って、再生されたオーディオ信号として例えばコネクティビティ１３２１（図２８）等に供給する。
【０２２６】
多重化部（MUX）１４１２は、ビデオストリームとオーディオストリームとを多重化する。この多重化の方法（すなわち、多重化により生成されるビットストリームのフォーマット）は任意である。また、この多重化の際に、多重化部（MUX）１４１２は、所定のヘッダ情報等をビットストリームに付加することもできる。つまり、多重化部（MUX）１４１２は、多重化によりストリームのフォーマットを変換することができる。例えば、多重化部（MUX）１４１２は、ビデオストリームとオーディオストリームとを多重化することにより、転送用のフォーマットのビットストリームであるトランスポートストリームに変換する。また、例えば、多重化部（MUX）１４１２は、ビデオストリームとオーディオストリームとを多重化することにより、記録用のファイルフォーマットのデータ（ファイルデータ）に変換する。
【０２２７】
逆多重化部（DMUX）１４１３は、多重化部（MUX）１４１２による多重化に対応する方法で、ビデオストリームとオーディオストリームとが多重化されたビットストリームを逆多重化する。つまり、逆多重化部（DMUX）１４１３は、ストリームバッファ１４１４から読み出されたビットストリームからビデオストリームとオーディオストリームとを抽出する（ビデオストリームとオーディオストリームとを分離する）。つまり、逆多重化部（DMUX）１４１３は、逆多重化によりストリームのフォーマットを変換（多重化部（MUX）１４１２による変換の逆変換）することができる。例えば、逆多重化部（DMUX）１４１３は、例えばコネクティビティ１３２１やブロードバンドモデム１３３３等（いずれも図２８）から供給されたトランスポートストリームを、ストリームバッファ１４１４を介して取得し、逆多重化することにより、ビデオストリームとオーディオストリームとに変換することができる。また、例えば、逆多重化部（DMUX）１４１３は、例えばコネクティビティ１３２１により（図２８）各種記録媒体から読み出されたファイルデータを、ストリームバッファ１４１４を介して取得し、逆多重化することにより、ビデオストリームとオーディオストリームとに変換することができる。
【０２２８】
ストリームバッファ１４１４は、ビットストリームをバッファリングする。例えば、ストリームバッファ１４１４は、多重化部（MUX）１４１２から供給されたトランスポートストリームをバッファリングし、所定のタイミングにおいて、若しくは外部からの要求等に基づいて、例えばコネクティビティ１３２１やブロードバンドモデム１３３３（いずれも図２８）等に供給する。
【０２２９】
また、例えば、ストリームバッファ１４１４は、多重化部（MUX）１４１２から供給されたファイルデータをバッファリングし、所定のタイミングにおいて、若しくは外部から要求等に基づいて、例えばコネクティビティ１３２１（図２８）等に供給し、各種記録媒体に記録させる。
【０２３０】
さらに、ストリームバッファ１４１４は、例えばコネクティビティ１３２１やブロードバンドモデム１３３３等（いずれも図２８）を介して取得したトランスポートストリームをバッファリングし、所定のタイミングにおいて、若しくは外部からの要求等に基づいて、逆多重化部（DMUX）１４１３に供給する。
【０２３１】
また、ストリームバッファ１４１４は、例えばコネクティビティ１３２１（図２８）等において各種記録媒体から読み出されたファイルデータをバッファリングし、所定のタイミングにおいて、若しくは外部からの要求等に基づいて、逆多重化部（DMUX）１４１３に供給する。
【０２３２】
次に、このような構成のビデオプロセッサ１３３２の動作の例について説明する。例えば、コネクティビティ１３２１（図２８）等からビデオプロセッサ１３３２に入力されたビデオ信号は、ビデオ入力処理部１４０１において４：２：２Ｙ／Ｃｂ／Ｃｒ方式等の所定の方式のデジタル画像データに変換され、フレームメモリ１４０５に順次書き込まれる。このデジタル画像データは、第１画像拡大縮小部１４０２または第２画像拡大縮小部１４０３に読み出されて、４：２：０Ｙ／Ｃｂ／Ｃｒ方式等の所定の方式へのフォーマット変換および拡大縮小処理が行われ、再びフレームメモリ１４０５に書き込まれる。この画像データは、エンコード・デコードエンジン１４０７によって符号化され、ビデオストリームとしてビデオESバッファ１４０８Ａに書き込まれる。
【０２３３】
また、コネクティビティ１３２１（図２８）等からビデオプロセッサ１３３２に入力されたオーディオ信号は、オーディオエンコーダ１４１０によって符号化され、オーディオストリームとして、オーディオESバッファ１４０９Ａに書き込まれる。
【０２３４】
ビデオESバッファ１４０８Ａのビデオストリームと、オーディオESバッファ１４０９Ａのオーディオストリームは、多重化部（MUX）１４１２に読み出されて多重化され、トランスポートストリーム若しくはファイルデータ等に変換される。多重化部（MUX）１４１２により生成されたトランスポートストリームは、ストリームバッファ１４１４にバッファされた後、例えばコネクティビティ１３２１やブロードバンドモデム１３３３（いずれも図２８）等を介して外部ネットワークに出力される。また、多重化部（MUX）１４１２により生成されたファイルデータは、ストリームバッファ１４１４にバッファされた後、例えばコネクティビティ１３２１（図２８）等に出力され、各種記録媒体に記録される。
【０２３５】
また、例えばコネクティビティ１３２１やブロードバンドモデム１３３３（いずれも図２８）等を介して外部ネットワークからビデオプロセッサ１３３２に入力されたトランスポートストリームは、ストリームバッファ１４１４にバッファされた後、逆多重化部（DMUX）１４１３により逆多重化される。また、例えばコネクティビティ１３２１（図２８）等において各種記録媒体から読み出され、ビデオプロセッサ１３３２に入力されたファイルデータは、ストリームバッファ１４１４にバッファされた後、逆多重化部（DMUX）１４１３により逆多重化される。つまり、ビデオプロセッサ１３３２に入力されたトランスポートストリームまたはファイルデータは、逆多重化部（DMUX）１４１３によりビデオストリームとオーディオストリームとに分離される。
【０２３６】
オーディオストリームは、オーディオESバッファ１４０９Ｂを介してオーディオデコーダ１４１１に供給され、復号されてオーディオ信号が再生される。また、ビデオストリームは、ビデオESバッファ１４０８Ｂに書き込まれた後、エンコード・デコードエンジン１４０７により順次読み出されて復号されてフレームメモリ１４０５に書き込まれる。復号された画像データは、第２画像拡大縮小部１４０３によって拡大縮小処理されて、フレームメモリ１４０５に書き込まれる。そして、復号された画像データは、ビデオ出力処理部１４０４に読み出されて、４：２：２Ｙ／Ｃｂ／Ｃｒ方式等の所定の方式にフォーマット変換され、さらにアナログ信号に変換されて、ビデオ信号が再生出力される。
【０２３７】
なお、エンコード・デコードエンジン１４０７において、本開示（すなわち、上述した各実施形態に係る画像符号化装置や画像復号装置の機能）は、論理回路等のハードウエアにより実現するようにしてもよいし、組み込みプログラム等のソフトウエアにより実現するようにしてもよいし、それらの両方により実現するようにしてもよい。
【０２３８】
＜５．まとめ＞
以上説明したように本開示の一実施形態では、非特許文献１で公開されているSegmentTemplate要素に、ネットワークカメラ１１を遠隔制御するための定義情報のＵＲＩを１つまたは複数指定するための属性を追加する。このようにSegmentTemplate要素に属性を追加することで、クライアントであるコンテンツ再生装置２０で動的にセグメントのリクエストＵＲＬを指定できる。
【０２３９】
クライアントであるコンテンツ再生装置２０で動的にセグメントのリクエストＵＲＬを指定できることで、本開示の一実施形態は、上記非特許文献２で提案されている方法に比べてＭＰＤを圧縮することができる。また定義情報（Parameter Description）をＭＰＤから参照できるようにしておくことで、本開示の一実施形態は、上記非特許文献２で提案されている方法に比べて、アプリケーション要件に応じてＭＰＤスキーマを個別拡張する際のメンテナンス負荷を軽減することができる。
【０２４０】
コンテンツサーバ１０およびコンテンツ再生装置２０に内蔵されるＣＰＵ、ＲＯＭおよびＲＡＭなどのハードウェアに、上述したコンテンツサーバ１０およびコンテンツ再生装置２０の各構成と同等の機能を発揮させるためのコンピュータプログラムも作成可能である。また、該コンピュータプログラムを記憶させた記憶媒体も提供される。
【０２４１】
以上、添付図面を参照しながら本開示の好適な実施形態について詳細に説明したが、本開示はかかる例に限定されない。本開示の属する技術の分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０２４２】
なお、本技術は以下のような構成も取ることができる。
（１）
同一のコンテンツを異なるビットレートで符号化して得られる各符号化データを構成する複数のサブセグメントの各々にアクセスするための、またはＭＰＤに記載されている、サーバへのリクエストにより取得するあらゆる要素にアクセスするためのアクセス情報にパラメータを付加するための所定の定義を記憶する記憶部と、
前記アクセス情報で定義されているアドレスに前記記憶部が記憶する所定の定義に基づきパラメータを指定してアクセスする通信部と、
を備え、
前記アクセス情報で定義されているアドレスは、前記コンテンツを撮像する装置を制御するためのアドレスである、情報処理装置。
（２）
同一のコンテンツを異なるビットレートで符号化して得られる各符号化データを構成する複数のサブセグメントの各々にアクセスするための、またはＭＰＤに記載されている、サーバへのリクエストにより取得するあらゆる要素にアクセスするためのアクセス情報にパラメータを付加するための所定の定義を記憶することと、
前記アクセス情報で定義されているアドレスに前記記憶部が記憶する所定の定義に基づきパラメータを指定してアクセスすることと、
を備え、
前記アクセス情報で定義されているアドレスは、前記コンテンツを撮像する装置を制御するためのアドレスである、コンテンツ要求方法。
（３）
コンピュータに、
同一のコンテンツを異なるビットレートで符号化して得られる各符号化データを構成する複数のサブセグメントの各々にアクセスするための、またはＭＰＤに記載されている、サーバへのリクエストにより取得するあらゆる要素にアクセスするためのアクセス情報にパラメータを付加するための所定の定義を記憶することと、
前記アクセス情報で定義されているアドレスに前記記憶部が記憶する所定の定義に基づきパラメータを指定してアクセスすることと、
を実行させ、
前記アクセス情報で定義されているアドレスは、前記コンテンツを撮像する装置を制御するためのアドレスである、コンピュータプログラム。
【符号の説明】
【０２４３】
１０、１３  コンテンツサーバ
１１  ネットワークカメラ
１２  ネットワーク
２０  コンテンツ再生装置
１２０  ファイル生成部
１２２  エンコーダ
１３０  記憶部
１４０  通信部
２２０  通信部
２３０  記憶部
２４０  再生部
２５０  選択部
【図１】
0006481206.tif 000002
【図２】
0006481206.tif 000003
【図３】
0006481206.tif 000004
【図４】
0006481206.tif 000005
【図５】
0006481206.tif 000006
【図６】
0006481206.tif 000007
【図７】
0006481206.tif 000008
【図８】
0006481206.tif 000009
【図９】
0006481206.tif 000010
【図１０Ａ】
0006481206.tif 000011
【図１０Ｂ】
0006481206.tif 000012
【図１１】
0006481206.tif 000013
【図１２】
0006481206.tif 000014
【図１３】
0006481206.tif 000015
【図１４】
0006481206.tif 000016
【図１５】
0006481206.tif 000017
【図１６】
0006481206.tif 000018
【図１７】
0006481206.tif 000019
【図１８】
0006481206.tif 000020
【図１９】
0006481206.tif 000021
【図２０】
0006481206.tif 000022
【図２１】
0006481206.tif 000023
【図２２】
0006481206.tif 000024
【図２３】
0006481206.tif 000025
【図２４】
0006481206.tif 000026
【図２５】
0006481206.tif 000027
【図２６】
0006481206.tif 000028
【図２７】
0006481206.tif 000029
【図２８】
0006481206.tif 000030
【図２９】
0006481206.tif 000031